(57)【要約】【課題】裏側から光がないときには、色柄が表面側に露呈させず、通常の木質化粧材の外観を呈する一方、裏側から光が当たったときには、一転、木目と共に色柄７が表面に明確にかつ鮮明に現出する透光性化粧材Ａが得られるようにする。【解決手段】樹脂が含浸されてＷＰＣ処理された透光性を有する木質薄単板からなる突板層１と、この突板層１の裏面側に配置された隠蔽層５と、この隠蔽層５の裏面側に配置され、所定の色柄７が形成された透光性を有する色柄層６とを含む積層体１１からなる透光性化粧材Ａを設ける。隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有している。透光性化粧材Ａは、裏側からの光で上記色柄層６の色柄７が表面側に現出するように構成されている。【選択図】図５
2012179801.tif 000002
【特許請求の範囲】
【請求項１】
樹脂が含浸されてＷＰＣ処理された透光性を有する木質薄単板からなる突板層と、
上記突板層の裏面側に配置された隠蔽層と、
上記隠蔽層の裏面側に配置され、所定の色柄が形成された透光性を有する色柄層とを含む積層体からなり、
上記隠蔽層は、積層体の裏側からの光がないときに上記色柄層の色柄を積層体表面から隠蔽する一方、積層体の裏側からの光があるときには色柄層の色柄を積層体表面に現出させる程度に透光性を有しており、
裏側からの光で上記色柄層の色柄が表面側に現出するように構成されたことを特徴とする透光性化粧材。
【請求項２】
請求項１において、
突板層は、木質薄単板の表面に浮造り加工により木質薄単板の春目部分を秋目部分よりも深く凹陥した凹凸部が形成されてＷＰＣ処理されたものであることを特徴とする透光性化粧材。
【請求項３】
請求項１又は２において、
積層体の内部又は表裏側に、透光性を有する補強層が設けられていることを特徴とする透光性化粧材。
【請求項４】
請求項３において、
補強層は突板層と隠蔽層との間に設けられていることを特徴とする透光性化粧材。
【請求項５】
請求項３において、
補強層は隠蔽層と色柄層との間に設けられていることを特徴とする透光性化粧材。
【請求項６】
請求項３において、
補強層は色柄層の裏面に設けられていることを特徴とする透光性化粧材。
【請求項７】
請求項３において、
補強層は隠蔽層からなることを特徴とする透光性化粧材。
【請求項８】
請求項３において、
補強層は色柄層からなることを特徴とする透光性化粧材。
【請求項９】
請求項３〜７のいずれか１つにおいて、
突板層から補強層までの層が積層一体化されていることを特徴とする透光性化粧材。
【請求項１０】
請求項１〜９のいずれか１つにおいて、
色柄層は、裏面に色柄が反転印刷された紙層からなることを特徴とする透光性化粧材。
【請求項１１】
請求項１０において、
紙層は、一方の面に色柄が他方の面に至らないように反転印刷されることで該一方の面が印刷面とされた紙からなり、該印刷面が裏側になり印刷面と反対側の他方の面が表側になるように配置されていることを特徴とする透光性化粧材。
【請求項１２】
請求項３において、
補強層は突板層の表面に設けられていることを特徴とする透光性化粧材。
【請求項１３】
請求項１２において、
突板層が交換可能であることを特徴とする透光性化粧材。
【請求項１４】
請求項１２において、
色柄層が交換可能であることを特徴とする透光性化粧材。
【請求項１５】
請求項１２において、
突板層ないし色柄層が交換可能であることを特徴とする透光性化粧材。
【請求項１６】
請求項１〜１５のいずれか１つにおいて、
隠蔽層は液晶層であることを特徴とする透光性化粧材。
【請求項１７】
請求項１〜１５のいずれか１つにおいて、
隠蔽層は、温度に応じて透光性及び色が変化する感熱性樹脂からなることを特徴とする透光性化粧材。
【請求項１８】
請求項１〜１５のいずれか１つにおいて、
隠蔽層は、温度に応じて透光性が変化するフェイズチェンジマテリアルからなることを特徴とする透光性化粧材。
【請求項１９】
請求項２において、
突板層は、木質薄単板表面の凹部が透明性樹脂により充填されて平滑面とされていることを特徴とする透光性化粧材。
【発明の詳細な説明】
【技術分野】
【０００１】
本発明は、住宅等の建築物の床用、壁用、その他の内装用建材や家具の面材等として用いるのに好適な装飾性に優れた透光性を有する化粧材に関する。
【背景技術】
【０００２】
従来、この種の透光性を有する化粧材として、特許文献１に示されているように、天然木の表面に研磨材を吹き付けることで、密なる輪層（秋目部分）と粗なる輪層（春目部分）とを有する年輪のうちの粗なる輪層を刳り抜き除去して、密なる輪層のみの骨格を持つ透かし状にし、それを照明器具のシェード等に用いたものは知られている。
【０００３】
また、特許文献２には、ガラスや樹脂等の透明板の表面に木質薄単板からなる突板を、また裏面に模様付きカッティングシートをそれぞれ接着して一体化し、裏面からの光によりカッティングシートのシルエット模様を突板の木目模様と共に表側に現出させるようにした照明用装飾突板貼着積層体が提案されている。
【０００４】
さらに、特許文献３に示されるものでは、透光性木目付化粧板として、木質薄単板の裏面に不織布が接着された木目シートを裏面にて透明樹脂板に接着するようにしている。
【０００５】
この他、光透過性を有する突板を利用し、その突板を透光性基材の表面に積層して突板層を形成し、基材裏側の光源の光を突板層表面から照射させることにより、光源の消灯時には、通常の木目調パネルに見えるが、光源の点灯時には、突板層の木目を浮かび上がらせて現出させるようにしたものが提案されている（例えば特許文献４〜８参照）。
【０００６】
また、突板層と光源との間に絵柄模様を描いた絵柄層を配置し、その絵柄を影絵のように突板層表面に現出させることが提案されている（例えば特許文献５，８参照）。
【先行技術文献】
【特許文献】
【０００７】
【特許文献１】特開２００３−１０９４１４号公報
【特許文献２】実用新案登録第３１５３３１１号公報
【特許文献３】特開２００２−１４４４８３号公報
【特許文献４】特開平８−２６７６６７号公報
【特許文献５】特開２００２−２０５５００号公報
【特許文献６】特開２００９−８０９８１号公報
【特許文献７】特開２００９−１６０８１９号公報
【特許文献８】特開２０１０−１８０５６３号公報
【発明の概要】
【発明が解決しようとする課題】
【０００８】
しかし、上記従来の特許文献のものでは、いずれも、木質薄単板からなる突板層の透光性を利用し、光源からの光を突板層に透過させて表面に放射させたり、絵柄を表面に現出させたりしているものの、その突板層の透光性が低く、表面に絵柄を明確にかつ鮮明に現出させることが困難であった。さりとて、透光性を高めるために突板層の厚さを薄くすればよいが、それには限度がある。
【０００９】
また、裏側の光源からの光により絵柄を表面側に現出させるようにすると、光源からの光がないときでも絵柄が表面側に露呈してしまい、不自然な外観になるという問題がある。
【００１０】
本発明は斯かる点に鑑みてなされたものであり、その目的は、木質化粧材の構造に改良を加えることにより、裏側から光がないときには、色柄が表面側に露呈せず、通常の木質化粧材の外観を呈する一方、裏側から光が当たったときには、一転、木目と共に色柄が表面に明確にかつ鮮明に現出する透光性化粧材が得られるようにすることにある。
【課題を解決するための手段】
【００１１】
上記の目的を達成するために、この発明では、表面の突板層を木質薄単板に樹脂が含浸されたＷＰＣ（Wood Plastic Combination：樹脂含浸）処理されたものとする。それとともに、その突板層と裏側の色柄層との間に、裏側からの光がないときに色柄層の色柄を表面から隠蔽するための隠蔽層を配置するようにした。
【００１２】
具体的には、第１の発明では、透光性化粧材は、樹脂が含浸されてＷＰＣ処理された透光性を有する木質薄単板からなる突板層と、この突板層の裏面側に配置された隠蔽層と、この隠蔽層の裏面側に配置され、所定の色柄が形成された透光性を有する色柄層とを含む積層体からなる。
【００１３】
上記隠蔽層は、積層体の裏側からの光がないときに上記色柄層の色柄を積層体表面から隠蔽する一方、積層体の裏側からの光があるときには色柄層の色柄を積層体表面に現出させる程度に透光性を有している。
【００１４】
そして、透光性化粧材は、裏側からの光で上記色柄層の色柄が表面側に現出するように構成されている。上記色柄層の色柄は絵柄のみ、色のみ、或いは色と絵柄とを組み合わせたものであってもよい。
【００１５】
この第１の発明では、透光性化粧材は、突板層、隠蔽層及び色柄層を含む積層体からなり、その突板層は樹脂の含浸によりＷＰＣ処理されて透光性を有する木質薄単板からなるので、突板層となる薄単板の厚さを極度に薄くせずとも、その高い透光性が得られる。そのため、透光性化粧材の裏側から光が照射されると、その光により色柄層の色柄が透光性化粧材の表面側に鮮明にかつ明確に木質薄単板表面の木目模様に加えて現出する。
【００１６】
また、積層体の隠蔽層は、積層体の裏側からの光がないときに色柄層の色柄を積層体表面から隠蔽し、裏側からの光があるときには色柄層の色柄を積層体表面に現出させる程度に透光性を有しているので、透光性化粧材の裏側からの光がない場合は、色柄層の色柄は積層体表面から隠蔽され、透光性化粧材の表面側に現出することがなく、突板層表面の木目模様がそのまま露出し、通常の化粧材と同様の木目模様を有する木質の外観模様が得られる。
【００１７】
すなわち、透光性化粧材は、裏側から光を当てない状態と、光を当てた状態との間で大きな差異のある外観が得られ、その意匠性を高めることができる。
【００１８】
第２の発明では、上記第１の発明に係る透光性化粧材において、突板層は、木質薄単板の表面に浮造り加工により木質薄単板の春目部分を秋目部分よりも深く凹陥した凹凸部が形成されてＷＰＣ処理されたものとする。
【００１９】
この第２の発明では、木質薄単板の表面に浮造り加工により木質薄単板の春目部分を秋目部分よりも深く凹陥した凹凸部が形成され、その表面に樹脂が含浸されてＷＰＣ処理されるので、凹部により薄くなった春目部分だけでなく凸部により厚い秋目部分にも樹脂が含浸して、透光度の高い突板層が容易に得られる。
【００２０】
第３の発明では、上記第１又は２の発明に係る透光性化粧材において、上記積層体の内部又は表裏側に、透光性を有する補強層が設けられている。
【００２１】
第４の発明では、上記第３の発明に係る透光性化粧材において、上記補強層は突板層と隠蔽層との間に設けられているものとする。
【００２２】
第５の発明では、上記第３の発明に係る透光性化粧材において、上記補強層は隠蔽層と色柄層との間に設けられているものとする。
【００２３】
第６の発明では、上記第３の発明に係る透光性化粧材において、補強層は色柄層の裏面に設けられているものとする。
【００２４】
第７の発明では、上記第３の発明に係る透光性化粧材において、補強層は隠蔽層からなるものとする。
【００２５】
第８の発明では、上記第３の発明に係る透光性化粧材において、補強層は色柄層からなるものとする。
【００２６】
これら第３〜第８の発明では、積層体の内部又は表裏側に透光性を有する補強層が設けられているので、積層体を所定の強度に保つことができる。そのため、例えば突板層（木質薄単板）の厚さが薄くても、積層体の取扱い性や運搬性を高めることができる。また、突板層表面を浮造り加工する際、補強層がない場合のように、積層体を別の支持体に貼付け支持して浮造りする必要がなく、そのまま製造ラインに流すことができる。
【００２７】
第９の発明では、第３〜第７の発明のいずれか１つに係る透光性化粧材において、突板層から補強層までの層が積層一体化されていることを特徴とする。
【００２８】
この第９の発明では、突板層から補強層までの層とが積層一体化されているので、突板層を常に補強層によって補強することができ、透光性化粧材の取扱い性や運搬性を高め、製造を容易化することができる。
【００２９】
第１０の発明では、第１〜第９の発明のいずれか１つに係る透光性化粧材において、色柄層は、裏面に色柄が反転印刷された紙層からなるものとする。
【００３０】
第１１の発明では、第１０の発明に係る透光性化粧材において、紙層は、一方の面に色柄が他方の面に至らないように反転印刷されることで該一方の面が印刷面とされた紙からなり、該印刷面が裏側になり印刷面と反対側の他方の面が表側になるように配置されている。
【００３１】
これらの第１０及び第１１の発明では、紙層の裏面に色柄を反転印刷するだけで色柄層の色柄が形成されるので、色柄の形成を容易に行うことができる。反転印刷された色柄は、裏面側から光を当てることにより、表面側に所望色柄が表出する。
【００３２】
第１２の発明では、第３の発明に係る透光性化粧材において、補強層は突板層の表面に設けられているものとする。
【００３３】
この第１２の発明でも、積層体を所定の強度に保つことができる。例えば突板層表面を浮造り加工する際、補強層がない場合のように、積層体を別の支持体に貼付け支持して浮造りする必要がなく、そのまま製造ラインに流すことができる。
【００３４】
第１３の発明では、第１２の発明に係る透光性化粧材において、突板層が交換可能であるものとする。
【００３５】
第１４の発明では、第１２の発明に係る透光性化粧材において、色柄層が交換可能であるものとする。
【００３６】
第１５の発明では、第１２の発明に係る透光性化粧材において、突板層ないし色柄層が交換可能であるものとする。
【００３７】
これら第１３〜第１５の発明では、透光性化粧材の少なくとも一部の層が他の層に対し交換可能であるので、その層を必要に応じて交換することにより、透光性化粧材表面に現出する突板層の木目柄や色柄層の色柄を容易に変更することができる。
【００３８】
第１６の発明では、第１〜第１５の発明のいずれか１つに係る透光性化粧材において、隠蔽層は液晶層とする。
【００３９】
第１７の発明では、第１〜第１５の発明のいずれか１つに係る透光性化粧材において、隠蔽層は、温度に応じて透光性及び色が変化する感熱性樹脂からなるものとする。
【００４０】
第１８の発明では、第１〜第１５の発明のいずれか１つに係る透光性化粧材において、隠蔽層は、温度に応じて透光性が変化するフェイズチェンジマテリアル（ＰＣＭ）からなるものとする。
【００４１】
これら第１６〜第１８の発明では、発明の効果が有効に発揮される最適な隠蔽層が得られる。
【００４２】
第１９の発明では、第２の発明に係る透光性化粧材において、突板層は、木質薄単板表面の凹部が透明性樹脂により充填されて平滑面とされているものとする。
【００４３】
この第１９の発明では、突板層表面の凹部が透明性樹脂により充填されて平滑面となっているので、表面の平滑な透光性化粧材が得られる。
【発明の効果】
【００４４】
以上説明したように、第１の発明によると、樹脂の含浸によりＷＰＣ処理された透光性を有する木質薄単板からなる突板層と、この突板層の裏面側に配置された隠蔽層と、この隠蔽層の裏面側に配置され、所定の色柄が形成された透光性を有する色柄層とを含む積層体からなる透光性化粧材を設け、隠蔽層は、積層体の裏側からの光がないときに色柄層の色柄を積層体表面から隠蔽する一方、積層体の裏側からの光があるときには色柄層の色柄を積層体表面に現出させる程度に透光性を有するものとし、裏側からの光で色柄層の色柄が表面側に現出するようにした。このことにより、突板層となる薄単板の厚さを極度に薄くせずとも、その突板層の透光性を高くすることができ、透光性化粧材の裏側からの光がない場合に、色柄層の色柄は積層体表面から隠蔽され、通常の化粧材と同様の木目模様を有する木質の外観模様が得られる一方、透光性化粧材の裏側から光が照射されると、その光により色柄層の色柄が透光性化粧材の表面側に鮮明にかつ明確に木質薄単板表面の木目模様に加えて現出し、よって裏側から光を当てない状態と、光を当てた状態との間で大きな差異のある外観を有し、意匠性の高い透光性化粧材が得られる。
【００４５】
第２の発明によると、突板層は、木質薄単板の表面に浮造り加工により木質薄単板の春目部分を秋目部分よりも深く凹陥した凹凸部が形成されてＷＰＣ処理されたものとしたことにより、木質薄単板の表面において凹部により薄くなった春目部分だけでなく凸部により厚い秋目部分にも樹脂が含浸して、透光度の高い突板層が容易に得られる。
【００４６】
第３の発明では、積層体の内部又は表裏側に、透光性を有する補強層を設けた。第４の発明では、補強層は突板層と隠蔽層との間に設けた。第５の発明では、補強層は隠蔽層と色柄層との間に設けた。第６の発明では、補強層は色柄層の裏面に設けた。第７の発明では、補強層は隠蔽層からなるものとした。第８の発明では、補強層は色柄層からなるものとした。これら第３ないし第８の発明によると、積層体の内部又は表裏側に透光性を有する補強層が設けられているので、積層体を所定の強度に保つことができる。そのため、突板層の厚さが薄くても、積層体の取扱い性や運搬性を高めることができるとともに、突板層表面を浮造り加工する際、補強層がない場合のように、積層体を別の支持体に貼付け支持して浮造りする必要がなく、そのまま製造ラインに流すことができる。
【００４７】
第９の発明によると、突板層から補強層までの層を積層一体化したことにより、突板層を常に補強層によって補強して、透光性化粧材の取扱性の向上や製造の容易化を図ることができる。
【００４８】
第１０の発明では、色柄層としての補強層は、裏面に色柄が反転印刷された紙層からなるものとした。また、第１１の発明では、その紙層は、一方の面である印刷面に色柄が他方の面に至らないように反転印刷された紙からなり、印刷面が裏側になり他方の面が表側になるように配置されているものとした。これら第１０及び第１１の発明によると、紙層の裏面に色柄を反転印刷するだけで色柄層の色柄が形成されるので、色柄の形成を容易に行うことができる。
【００４９】
第１２の発明によると、補強層を突板層の表面に設けたことにより、積層体を所定の強度に保つことができる。
【００５０】
第１３の発明では、突板層を交換可能とした。第１４の発明では、色柄層を交換可能とした。第１５の発明では、突板層ないし色柄層を交換可能とした。これら第１３〜第１５の発明によると、透光性化粧材の少なくとも一部の層が交換可能であるので、その層を必要に応じて交換して透光性化粧材表面に現出する突板層の木目柄や色柄層の色柄を容易に変更することができる。
【００５１】
第１６の発明では、隠蔽層は液晶層とした。第１７の発明では、隠蔽層は、温度に応じて温度に応じて透光性及び色が変化する感熱性樹脂からなるものとした。第１８の発明では、隠蔽層は、温度に応じて透光性が変化するフェイズチェンジマテリアル（ＰＣＭ）からなるものとした。これら第１６〜第１８の発明によると、発明の効果が有効に発揮される最適な隠蔽層が得られる。
【００５２】
第１９の発明によると、突板層は、木質薄単板表面の凹部が透明性樹脂により充填されて平滑面としたことにより、表面の平滑な透光性化粧材が得られる。
【図面の簡単な説明】
【００５３】
【図１】図１は本発明の実施形態１に係る透光性化粧材の断面図である。
【図２】図２は透光性化粧材の表面を示す図である。
【図３】図３は透光性化粧材の裏面を示す図である。
【図４】図４は、透光性化粧材の裏側から光を当てたときに色柄が表面に現出した状態を示す図２相当図である。
【図５】図５は透光性化粧材の拡大断面図である。
【図６】図６は実施形態１に係る透光性化粧材の製造工程を示す図である。
【図７】図７は実施形態２に係る透光性化粧材を示す図５相当図である。
【図８】図８は実施形態２に係る透光性化粧材の製造工程を示す図である。
【図９】図９は実施形態３に係る透光性化粧材を示す図５相当図である。
【図１０】図１０は実施形態４に係る透光性化粧材を示す図５相当図である。
【図１１】図１１は実施形態５に係る透光性化粧材を示す図５相当図である。
【図１２】図１２は、透光性化粧材が施工されたドアの正面図である。
【図１３】図１３は図１２のXIII−XIII線拡大断面図である。
【図１４】図１４は、透光性化粧材を光源と組み合わせた発光化粧構造体の例１に係るベッドを示す斜視図である。
【図１５】図１５は、光源が点灯して色柄がヘッドボードの表面に現出した状態を示す図１４相当図である。
【図１６】図１６は図１４のXVI−XVI線断面図である。
【図１７】図１７は発光化粧構造体の要部を拡大して示す断面図である。
【図１８】図１８は発光化粧構造体の例２に係るベッドを示す図１４相当図である。
【図１９】図１９は、光源が点灯して色柄が表面に現出した状態を示す図１８相当図である。
【図２０】図２０は図１８のXX−XX線断面図である。
【図２１】図２１は発光化粧構造体の例３に係るテーブルを示す斜視図である。
【図２２】図２２は図２１のXXII−XXII線拡大断面図である。
【図２３】図２３は、テーブルの天板上面に組み付けられた発光化粧構造体における積層体の表面を示す図である。
【図２４】図２４は発光化粧構造体における積層体の色柄を示す図である。
【図２５】図２５は発光化粧構造体における積層体の断面図である。
【図２６】図２６は、光源の消灯状態及び点灯状態の切換えにより色柄が表面に現出した状態を示す図である。
【図２７】図２７は発光化粧構造体の例４に係るテーブルを示す図２２相当図である。
【図２８】図２８は発光化粧構造体の例５に係る階段を示す側面図である。
【図２９】図２９は階段の要部を拡大して示す断面図である。
【図３０】図３０は、発光化粧構造体の例６に係る部屋の床面、壁面及び天井面を示す斜視図である。
【図３１】図３１は光源が点灯した状態を示す図３０相当図である。
【図３２】図３２は発光化粧構造体の施工構造を示す断面図である。
【図３３】図３３は発光化粧構造体の例７に係る欄間を襖と共に示す図である。
【図３４】図３４は図３３のXXXIV−XXXIV線拡大断面図である。
【発明を実施するための形態】
【００５４】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００５５】
［実施形態１］
図１〜図５は本発明の実施形態１に係る透光性化粧材Ａを示す。この透光性化粧材Ａは、突板層１と、この突板層１の裏面側に配置された隠蔽層５と、この隠蔽層５の裏面側に配置され、所定の色柄７（図３参照）が描かれた色柄層６と、上記突板層１の表面に形成された表面コート層９（図５参照）とを積層して一体化した積層体１１からなる。
【００５６】
（突板層）
上記突板層１は、木質薄単板に樹脂を含浸させるＷＰＣ処理をすることで透明化されて透光性を有するものとなっている。すなわち、図５に拡大して示すように、突板層１は、木質薄単板の表面に浮造り加工を施すことにより、単板の軟らかい春目部分を硬い秋目部分よりも深く凹陥して該春目部分が凹部２ａとなり秋目部分が凸部２ｂとなる凹凸部２が形成されてＷＰＣ処理されたものであり、表面に秋目部分（凸部２ｂ）が春目部分（凹部２ａ）よりも濃色となる木目（木理）の模様（図２では秋目部分を線にて示している）が形成されている。
【００５７】
上記突板層１をなす木質薄単板は天然木の薄単板からなり、樹種は限定されない。例えばオーク、バーチ、ビーチやチェリー等の硬さの硬い樹種や、スギ、ツガ、ヒノキ、サワグルミ等の硬さの軟らかい樹種等が用いられる。
【００５８】
ここで、上記木質薄単板に含浸させる樹脂について詳細に説明する。この樹脂は、例えば含浸樹脂と着色充填樹脂の２つの樹脂を用いる。これらの含浸樹脂及び着色充填樹脂は、共に、活性エネルギー線硬化特性と湿気硬化特性とを兼ね備えている。このため、活性エネルギー線硬化特性のみを有する樹脂と比べると、活性エネルギー線の照射により瞬時に樹脂を硬化させることができる。
【００５９】
両樹脂は、ポリエステルアクリレート、エポキシアクリレート、ウレタンアクリレート、ポリエーテルアクリレート等のオリゴマーやポリマーを単独、又はこれらを複数混合させたものに、反応性モノマーを加えたものを主成分とする。さらに、両樹脂は、主成分に対して、ポリイソシアネートを１質量％以上でかつ１５質量％以下添加されてなる。
【００６０】
両樹脂に用いるオリゴマー、ポリマーおよび反応性モノマーは、活性エネルギー線硬化特性を有する樹脂として一般的に用いられるものでよい。両樹脂に用いる反応性モノマーの例として以下のものが挙げられる。
【００６１】
単官能モノマーの例としては、ラウリルアクリレート、２−エチルヘキシルアクリレート、２−ヒドロキシエチルアクリレート、１，６−ヘキサンジオールモノアクリレート、ジシクロペンタジエンアクリレート、２−ヒドロキシルプロピルアクリレート、フェノキシジエチレングリコールアクリレート、イソボロニルアクリレート、β−カルボキシエチルアクリレート、アクリロイルモルフォリン、２−ヒドロキシエチルアクリロイルホスフェート、テトラヒドロフルフリルアクリレート、Ｎ，Ｎ−ジエチルアミノエチルアクリレート、Ｎ，Ｎ−ジメチルアミノエチルアクリレート、グリシジルアクリレート、ベンジルアクリレート等が挙げられる。
【００６２】
２官能モノマーの例としては、エチレングリコールジメタクリレート、ジエチレングリコールジアクリレート、ジエチレングリコールジメタアクリレート、トリエチレングリコールジアクリレート、トリエチレングリコールジメタアクリレート、ポリエチレングリコールジアクリレート、ポリエチレングリコールジメタアクリレート、ジプロピレングリコールジアクリレート、ジプロピレングリコールジメタアクリレート、トリプロピレングリコールジアクリレート、トリプロピレングリコールジメタアクリレート、ポリプロピレンジアクリレート、ポリプロピレンジメタアクリレート、１，６−ヘキサンジオールジアクリレート、１，４−ブタンジオールジアクリレート、１，４−ブタンジオールジメタアクリレート、ネオペンチルグリコールジアクリレート、ネオペンチルグリコールジメタアクリレート、１，９−ノナンジオールジアクリレート、１，９−ノナンジオールジメタアクリレート等が挙げられる。
【００６３】
３官能モノマーの例として、トリメチロールプロパントリアクリレート、トリメチロールプロパントリメタアクリレート、エトキシ化トリメチロールプロパントリアクリレート、エトキシ化トリメチロールプロパントリメタアクリレート、ペンタエリスリトールトリアクリレート、ペンタエリスリトールトリメタアクリレート、グリセリンプロポキシトリアクリレート等が挙げられる。
【００６４】
４官能以上のモノマーの例としては、ペンタエリスリトールテトラアクリレート、エトキシ化ペンタエリスリトールテトラアクリレート、ポロポキシ化ペンタエリスリトールテトラアクリレート、ジトリメチロールプロパンテトラアクリレート、ジペンタエリスリトールヘキサアクリレート等が挙げられる。
【００６５】
また、両樹脂には、イソシアネート系化合物が添加されることが好ましい。このイソシアネート系化合物は、空気中の湿気を吸収し、両樹脂の湿気硬化に寄与する。このため、両樹脂の木質薄単板への密着性をより向上させることができる。
【００６６】
イソシアネート系化合物の具体例としては、ヘキサメチレンジイソシアネート、イソホロンジイソシアネート、トリレンジイソシアネート、ジフェニルメタンジイソシアネート、キシリレンジイソシアネート、ノルボルネンジイソシアネート等のイソシアネートモノマー、並びにこれらのビウレット体、イソシアヌレート体、トリメチロールプロパンのアダクト体等のポリイソシアネート誘導体、並びにこれらイソシアネートモノマーまたはポリイソシアネート誘導体のブロック体等が挙げられる。さらには、イソシアネート系化合物は、無黄変型または難黄変型のものを用いることが好ましい。これらのイソシアネート系化合物を単独で、又はこれらを複数混合して用いる。
【００６７】
両樹脂には、さらに、一般的に用いられる錫化合物や、亜鉛化合物、アミン化合物等の触媒を添加してもよい。
【００６８】
そして、具体的には、上記の含浸樹脂をブラスト処理された木質薄単板の表面全体に塗布する。含浸樹脂は、スポンジロールコーターやナチュラルリバースコーター、フローコーター等を使用して塗布する。このように、ブラスト処理を施して微細な傷をつけ、含浸性を高くした木質薄単板の表面全体に含浸樹脂を塗布するので、木質薄単板の内部にまで含浸樹脂を浸透させることができる。
【００６９】
含浸樹脂は、低粘度でかつ含浸性の高い樹脂であることが好ましい。具体的には、含浸樹脂は、木質薄単板の表面に塗布されたとき、その粘度が１００Ｐａ・ｓ以下であることが好ましい。このように、含浸樹脂を低粘度のものとすることで、含浸性をより高めることができる。なお、含浸樹脂は、上述したモノマーにより希釈したり加熱したりすることで、上記の粘度となるように調整する。また、例えば、予め木質薄単板の表面の温度が４０°〜５０°となるように木質薄単板を加熱し、この表面の温度よりも１０°〜２０°低い温度にした含浸樹脂を塗布することで、この含浸樹脂の含浸性をより向上させることができる。
【００７０】
含浸樹脂を硬化又は半硬化させるために、木質薄単板の表面側から活性エネルギー線を照射する。活性エネルギー線には紫外線又は電子線が用いられる。
【００７１】
活性エネルギー線が紫外線である場合、含浸樹脂に、光重合開始剤を添加する。光重合開始剤としては、一般的に用いられるラジカル反応型のアセトフェノン系、ベンゾフェノン系、ベンジル系、ベンゾイン系等のカルボニル化合物、テトラアルキルチウラムモノサルファイド、チオキサンソン等のイオウ化合物を単独、またはこれらを複数混合して用いてもよい。しかし、含浸樹脂の硬化を促進するためには、上記一般的な光重合開始剤よりも紫外線に対して反応性に優れたものが好ましい。
【００７２】
具体的には、光重合開始剤として、含浸樹脂は、ビスアシルフォスフィンオキサイドを０．１質量％以上１．５質量％以下含むものか、モノアシルフォスフィンオキサイドを０．５質量％以上５．０質量％以下含むものであることが好ましい。ビスアシルフォスフィンオキサイドまたはモノアシルフォスフィンオキサイドは、紫外線の波長領域が３５０ｎｍ〜４００ｎｍ近辺である長波長に吸収極大がある。したがって、紫外線を発光する光源として、３５０ｎｍ以上４００ｎｍ以下の長波長領域に発光スペクトルを持つ発光方式を用いることにより、含浸樹脂８をより効果的に硬化させることができる。具体的には、放電灯方式のメタルハライドランプ、無電極方式のＤバルブ、Ｖバルブ、Ｑバルブ、Ｍバルブ、パルスＵＶ方式等を使用する。
【００７３】
また、活性エネルギー線が紫外線である場合、含浸樹脂には、増感剤や、光安定剤、紫外線吸収剤、貯蔵安定剤等の助剤を添加してもよい。また、含浸樹脂に染料、顔料等を加えて着色を行ってもよい。
【００７４】
そして、単板の表面に凹凸部２を形成するための浮造り加工は、単板の表面をブラッシングしてもよいが、ショットブラストする方が樹脂の含浸性が高くなり、透明性を向上できて好ましい。
【００７５】
（隠蔽層）
上記隠蔽層５は、積層体１１の裏側から光が照射されていないときに上記色柄層６の色柄７を積層体１１表面から隠蔽する程度に透光性を有しており、上記光が照射されたときには色柄層６の色柄７を積層体１１表面に現出させる。
【００７６】
この隠蔽層５は、例えば紙、プラスチックシート、これらを積層したポリサンド紙等の積層体等のシート状物を用いてもよいし、接着剤で一定厚みの層を形成してもよい。
【００７７】
この他、隠蔽層５としては、液晶層、温度に応じて透光性及び色が変化する感熱性樹脂、温度に応じて透光性が変化するフェイズチェンジマテリアル（ＰＣＭ）を用いることができる。
【００７８】
隠蔽層５を液晶層で構成した場合、その液晶層に対する印加電圧の変更により液晶層の透光性を調整し、色柄層６の隠蔽状態を外部からコントロールすることができる。
【００７９】
また、隠蔽層５を感熱性樹脂とする場合には、例えば裏側に配置された発熱する光源等の隠蔽層５に対する加熱を利用し、その加熱により感熱性樹脂の温度が例えば２５〜５０℃の所定の温度に昇温することで、その感熱性樹脂の透光性（透明度）が高くなり、色も薄くなり、色柄層６の色柄７が表出するようにすればよい。
【００８０】
さらに、隠蔽層５をフェイズチェンジマテリアルとした場合、やはり裏側に配置された光源等による加熱によりＰＣＭの温度が例えば２５〜５０℃に昇温することで、ＰＣＭが融点に達して固体が液体に変わることで、その透光性（透明度）が高くなるようにする。ＰＣＭとは、例えばｎ−オクタデカン、ｎ−ヘキサデカンが主原料のノルマルパラフィンが用いられる。このノルマルパラフィンは、融点が２３〜２８℃のもので、基本的に融点よりも低い温度で固体となり、融点よりも高い温度で液体となる。この潜熱蓄熱材としてのノルマルパラフィンは例えばビニルパック等の透明容器に封入されたものや、透明の樹脂殻に封入されたマイクロカプセル状のものが樹脂と混合され、シート状に成形されたもの等が好適に使用される。
【００８１】
ノルマルパラフィン以外の潜熱蓄熱材としては、無機水和塩（塩化カルシウム六水和塩、硫酸ナトリウム十水和塩等）、脂肪酸類（パルミチン酸、ミリスチン酸等）、芳香族炭化水素化合物（ベンゼン、ｐ−キシレン等）、エステル化合物（パルミチン酸イソプロピル、ステアリン酸ブチル等）、アルコール類（ステアリルアルコール等）、ポリアルキレングリコール等を使用することができ、内部に配した光源の発する温度により、適宜選択すればよい。
【００８２】
接着剤で一定厚みの隠蔽層５を形成する方法としては、基材表面に所定厚み（１０〜２００μｍ、好ましくは３０μｍ〜７５μｍ）の接着剤を塗布し、紫外線照射や熱硬化等の手段により半硬化させて、所定厚みを確保した上で表面単板を載置し、熱圧や冷圧等の手段により積層一体化する方法が好適に行われる。
【００８３】
このとき、接着層を隠蔽層５とするために、接着剤自体に染料系着色剤を用いて着色を施してもよい。また、接着剤自体を透明とし、顔料系の着色剤を添加してもよい。さらに、着色剤に替えて感温性樹脂やマイクロカプセル化されたＰＣＭ材料を使用してもよい。
【００８４】
（色柄層）
色柄層６は、例えば紙、樹脂シート等からなる。色柄層６は透光性を有し、この色柄層６には所定の色柄７が形成されている。この色柄７は写真や字、その他の所望のものが用いられる。色柄層６の色柄７は絵柄のみ、色のみ、或いは色と絵柄とを組み合わせたものであってもよい。
【００８５】
具体的には、この色柄層６として紙を用いる場合、図３に示すように、その紙の裏面に色柄７（図示例では「富士山」の漢字及びその写真）が反転印刷されている。すなわち、色柄層６としての紙層は、一方の面に色柄７がインクの透過等により他方の面に至らないように反転印刷されることで該一方の面が印刷面とされた紙からなり、該印刷面が裏側になり印刷面と反対側の他方の何も印刷されていない面が表側になるように配置されている。この場合、色柄層６に形成された色柄７は、裏面側からの光の透過により、鏡反転された態様で表面に色柄が透過される。
【００８６】
尚、この色柄層６は、必ずしも色柄７を反転させる必要はなく、表面側に向けて色柄７を形成する場合には反転されていないそのままの色柄７が用いられる。この場合、色柄層６に形成された色柄７は、裏面側からの光の透過により、印刷された態様のままで表面に色柄が透過される。
【００８７】
その他の例として、色柄層６は、例えば紙、樹脂シート、ガラス等からなり、色柄層６と隠蔽層５を積層一体に設けてもよいし、色柄層６と後述する補強層１６を積層一体に設けてもよいし、色柄層６と隠蔽層５と補強層１６とを別に設けてもよい。
【００８８】
例えば色柄層６と隠蔽層５を積層一体に設ける場合、表面にインク受容層を設けた紙を使用し、インク受容層にインクジェット印刷を行ってもよい。この場合、所定厚みを有する紙を使用し、裏面側にインクが透過しないようにインクジェット印刷することでインクが透過していない層を隠蔽層５としてもよい。
【００８９】
また、２枚の紙の間に樹脂シートを熱圧一体化したいわゆるポリサンド紙等の片面に色柄７を印刷し、印刷した方の紙層を色柄層６、印刷していない方の紙層を隠蔽層５としてもよい。この場合、裏面側にインクが透過していく恐れがないので、安定した品質の隠蔽性能を実現することができる。
【００９０】
また、例えば色柄層６と隠蔽層５を積層一体に設ける場合、透光性を有するガラスやアクリル樹脂をステンドグラス様に配したり、ガラス表面に直接色柄７を印刷等により設けてもよい。
（表面コート層）
表面コート層９は、浮造り加工が施された突板層１の表面に形成されている。この表面コート層９は、例えばアクリル系透明樹脂塗料やウレタン系透明樹脂塗料等からなる。
【００９１】
そして、透光性化粧材Ａは、図２に示すように、その裏側（積層体１１の裏側）から光源等の光が当てられていないときには、色柄層６の色柄７が隠蔽層５により隠蔽されて、透光性を有する木質薄単板表面の木目模様がそのまま露出する一方、図４に示すように、透光性化粧材Ａの裏側から光源等の光を当てたときに、その光で色柄層６の色柄７が、透光性化粧材Ａの表面側に突板層１（木質薄単板）表面の木目模様に加えて現出するようになっている。
【００９２】
（透光性化粧材の製造方法）
次に、上記裏側からの光で色柄７が表面側に現出する透光性化粧材Ａの製造方法の一例について図６に基づき説明する。まず、紙吸着工程において、図６（ａ）に示すように、表面の吸着層１４ａにより吸着性を有する板状の基材１４の表面に、色柄７が形成されて色柄層６となる紙等を吸着させる。上記吸着層１４ａは、「ＡＬシート」（ゼオン化成社製の商品名）等が用いられる。また離型層を有したフィルムへ接着を行い、最終工程において剥離させることもできる。基材１４は、例えば「ダイセルバリューコーティングＴ７８９」（ダイセルバリューコーティング社製の商品名）等が用いられる。
【００９３】
次いで、積層工程において、図６（ｂ）に示すように、上記色柄層６（紙）の表面に顔料系着色剤を混合させた接着剤を塗布し、半硬化させた後、その上に木質薄単板を貼着し、これらを積層一体化して積層体１１を形成する。このことで、紙が色柄層６となり、接着剤が隠蔽層５となり、木質薄単板が突板層１となる。
【００９４】
次の凹凸形成工程では、図６（ｃ）に示すように、上記突板層１（木質薄単板）の表面をショットブラスト加工して、該表面に木質薄単板の春目部分が秋目部分よりも深く凹陥した、凹部２ａ及び凸部２ｂからなる凹凸部２を形成する。ブラスト処理は、微細な粒子である硬質のブラスト用研磨材を突板層１（木質薄単板）の表面に衝突させて、春目部分及び秋目部分の表面に微細な傷を付ける手法である。
【００９５】
その際、突板層１、隠蔽層５及び色柄層６からなる積層体１１の色柄層６の裏側に基材１４が設けられ、その基材１４に突板層１が支持されているので、突板層１が厚さの薄い木質薄単板であっても、この基材１４により積層体１１の強度が所定の強度に保たれる。そのため、上記突板層１の表面をショットブラストにより浮造り加工する際、そのまま製造ラインに流すことができる。
【００９６】
このショットブラスト加工で用いるブラスト用研磨材は、例えばガラスビーズ、ガラスパウダー、ケイ素質等の無機質粒子、アルミナ質等の金属粒子、胡桃や桃の種を細かく砕いた硬質有機粒子、あるいはドライアイスを細かく粉砕したドライアイス粒子等が用いられる。
【００９７】
また、このブラスト用研磨材の粒径は、９０μｍ以上でかつ１５０μｍ以下となるようにふるい法により調整されたものであることが好ましい。これにより、ブラスト処理によって木質薄単板の表面に微細な傷を付けることができるとともに、上記した含浸樹脂が浸透していきやすい傷の大きさとすることができる。
【００９８】
ふるい法では、３段〜５段程度でふるい分けを行う。１段目のふるいの目開きの径を約１８０μｍ、２段目のふるいの目開きの径を約１５０μｍ、最終段のふるい目の目開きの径を約９０μｍに設定する。このことで、９０μｍ以上でかつ１５０μｍ以下の粒径のブラスト用研磨材が全体の約７０％以上含まれるように調整されている。これ以外には、研磨材が扁平形状や鋭角な形状であるものや、ふるいきれなかった、粒径が９０μｍ以下の研磨材が含まれている。
【００９９】
このように調整されたブラスト用研磨材を上記浮造り加工された木質薄単板の表面に衝突させる。ブラスト用研磨材は、ノズルから自然落下させてもよいし、圧力を加えてノズルから噴射させてもよい。ノズルは、木質薄単板の表面上方の任意の位置に、複数本配置し、木質薄単板の表面全体にブラスト処理が施されるようにする。
【０１００】
一般に、浮造り加工（表面の凹凸加工）をする場合には、ショットブラストの他に、ブラッシングにより削り取る方法もあるが、このブラッシングにより浮造り加工をすると、木材の導管が目詰まりし易く、後の樹脂含浸工程で樹脂の含浸性が低下して透明化が不十分となるので、表面に色柄を透過させるためには、木質単板層をできる限り薄く削り取る必要があり、生産性に劣るとともに、スギ、ツガ、ヒノキやサワグルミ等の硬さの軟らかい樹種を用いる場合は、春目や秋目に関係なく均一に削れてしまうため、材料選択の幅が小さくなる。このため、ショットブラストによる浮造り加工が好ましい。
【０１０１】
この後、樹脂含浸工程において、図６（ｄ）に示すように、突板層１にその凹凸部２が形成された表面から樹脂を含浸させた後に硬化させることで、突板層１（木質薄単板）の特に春目部分をＷＰＣ処理して透明化し、その突板層１を透光性を有するものとする。
【０１０２】
次のコーティング処理工程では、図６（ｅ）に示すように、上記突板層１表面の凹凸部２をコーティング処理して表面コート層９を形成する。
【０１０３】
最後の基材剥離工程では、図６（ｆ）に示すように、上記基材１４をその表面の吸着層１４ａにおいて、他の部分、すなわち色柄層６（紙）、隠蔽層５（接着剤）、突板層１（木質薄単板）及び表面コート層９と分離除去する。
【０１０４】
以上により、突板層１、隠蔽層５及び色柄層６が積層一体化され、その突板層１表面に表面コート層９が形成された図５に示す透光性化粧材Ａが得られる。
【０１０５】
この実施形態に係る透光性化粧材Ａは、木質薄単板に樹脂を含浸させるＷＰＣ処理をすることで透明化されて透光性を有する突板層１と、この突板層１の裏面側に配置された隠蔽層５と、この隠蔽層５の裏面側に配置された色柄層６と、突板層１の表面に形成された表面コート層９とを積層して一体した積層体１１からなっている。上記隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有しているので、図２に示すように、透光性化粧材Ａの裏側（積層体１１の裏側）から光源等の光が当てられていないときには、最も裏側にある色柄層６の色柄７は、その色柄層６よりも表側に位置する隠蔽層５により隠蔽され、その色柄７が透光性化粧材Ａの突板層１（木質薄単板）表面に現出することはなく、突板層１表面の木目模様がそのまま露出する。このことで、通常の化粧材と同様の木目模様を有する木質の外観模様が得られる。
【０１０６】
これに対し、透光性化粧材Ａの裏側から光源等の光を当てたときには、図４に示すように、その光により色柄層６の色柄７が、透光性を有する隠蔽層５と透光性を有する突板層１（木質薄単板）とを経て、該突板層１の表面に現出する。このことで、その色柄層６の色柄７が透光性化粧材Ａの表面側に木質薄単板表面の木目模様に加えて浮き上がるように鮮明に現出する。すなわち、木目模様中に色柄７が、木目の色の薄くかつショットブラストによる研削により凹部２ａとなって薄くなった春目部分（春材、早材）で強く現出し、木目の色の濃くかつショットブラストによる研削により凸部２ｂとなって厚く残った秋目部分（秋材、晩材）で弱く現出するような外観を呈する。
【０１０７】
したがって、この実施形態においては、透光性化粧材Ａは、裏側から光を当てない状態と、光を当てた状態との間で大きな差異のある外観が得られ、その意匠性を高めることができる。
【０１０８】
また、突板層１は、木質薄単板の表面に浮造り加工を施すことにより単板の春目部分を秋目部分よりも深く凹陥した凹凸部２が形成されてＷＰＣ処理されたものであるので、その木質薄単板の薄くなった春目部分は、樹脂含浸により透明化されているだけでなく、それよりも厚くて固い秋目部分にもショットブラスト処理により表面の濡れ性が向上し、樹脂の含浸性が高まり、突板層１の透明性を高めることができ、上記鮮明な色柄が現出する意匠性のある透光性化粧材Ａに好適な突板層１が容易に得られる。
【０１０９】
［実施形態２］
図７は実施形態２に係る透光性化粧材Ａを示し（尚、以下の各実施形態では図１〜図６と同様の部分について同じ符号を付して説明する）、補強層を加えたものである。
【０１１０】
すなわち、この実施形態２では、実施形態１と同様に、透光性化粧材Ａは、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含む積層体１１からなり、上記隠蔽層５は、積層体１１の裏側からの光がないときに上記色柄層６の色柄７を積層体１１表面から隠蔽する一方、積層体１１の裏側からの光があるときには色柄層６の色柄７を積層体１１表面に現出させる程度に透光性を有しており、透光性化粧材Ａは、裏側からの光で上記色柄層６の色柄７が表面側に現出するように構成されている。
【０１１１】
そして、この実施形態では、積層体１１の内部に、透光性を有する補強層１６が設けられている。具体的には、補強層１６は上記隠蔽層５と色柄層６との間（隠蔽層５の裏面側でかつ色柄層６の表面側）に設けられている。
【０１１２】
この補強層１６は、主として薄単板からなる突板層１を補強するためのものであり、例えばアクリル樹脂や塩ビ樹脂等の透明性樹脂板、ガラス等からなる。その他、透光性を有する板状体であれば、どのようなものでもよい。
【０１１３】
（透光性化粧材の製造方法）
次に、この実施形態に係る透光性化粧材Ａの製造方法について図８に基づき説明する。まず、図８（ａ）に示すように、木質薄単板からなる突板層１と、この突板層１の裏面側に配置された隠蔽層５と、この隠蔽層５の裏面側に配置された補強層１６と、この補強層１６の裏面側に配置され、所定の色柄７が形成された色柄層６とを積層一体化して積層体１１を形成する（積層体形成工程）。
【０１１４】
次に、図８（ｂ）に示すように、上記積層体１１の突板層１の表面をショットブラスト加工して、該表面に単板の春目部分が秋目部分よりも深く凹陥した凹凸部２を形成する（凹凸形成工程）。
【０１１５】
その際、積層体１１の裏側に補強層１６が設けられているので、この補強層１６により積層体１１の強度が所定の強度に保たれる。そのため、上記突板層１の表面をショットブラストにより浮造り加工する際、補強層１６がない実施形態１の場合のように、積層体１１を別の支持体（例えば実施形態１の基材１４）に貼り付けて支持する必要がなく、そのまま製造ラインに流すことができる。
【０１１６】
さらに、図８（ｃ）に示すように、上記突板層１に凹凸部２が形成された表面から樹脂を含浸させて突板層１をＷＰＣ処理することで突板層１に樹脂を含浸させ透光性を有するものとする（樹脂含浸工程）。
【０１１７】
最後に、図８（ｄ）に示すように、上記突板層１表面の凹凸部２をコーティング処理する（コーティング処理工程）。
【０１１８】
以上により、突板層１、隠蔽層５、補強層１６及び色柄層６が積層一体化され、その突板層１表面に表面コート層９が形成された図７に示す透光性化粧材Ａが得られる。
【０１１９】
したがって、この実施形態においても、実施形態１と同様の作用効果が得られる。特に、この実施形態の場合、積層体１１内に補強層１６が設けられているので、この補強層１６により積層体１１を所定の強度に保つことができ、透光性化粧材Ａの製造時及び使用時の取扱い性や運搬性が高くなる。
【０１２０】
［実施形態３］
図９は実施形態３を示し、補強層１６の位置を変えたものである。上記実施形態２では、補強層１６が隠蔽層５と色柄層６との間に設けられているのに対し、この実施形態では、補強層１６は突板層１と隠蔽層５との間（突板層１の裏面側でかつ隠蔽層５の表面側）に設けられている。他の構成は実施形態２と同じである。この実施形態でも、実施形態２と同様の作用効果が得られる。
【０１２１】
［実施形態４］
図１０は実施形態４を示す。上記実施形態２及び３では、補強層１６が積層体１１の内部に設けられているのに対し、この実施形態４では、透光性を有する補強層１６を積層体１１の裏側に設けたものである。他の構成は実施形態２と同じである。この実施形態でも、実施形態２と同様の作用効果が得られる。
【０１２２】
尚、この実施形態４とは異なり、補強層１６を突板層１の表側に設けてもよい。その場合、積層体１１における突板層１を交換可能としてもよく、突板層１のみを交換して、該突板層１の木目の柄を他のものに変更することができる。
【０１２３】
また、色柄層６を交換可能としてもよく、色柄層６のみを交換して、該色柄層６の色柄７を他のものに変更することができる。
【０１２４】
さらには、突板層１ないし色柄層６を交換可能とすることもできる。こうすれば、突板層１及び色柄層６を同時に交換して、該突板層１の木目の柄及び色柄層６の色柄７を他のものに変更することができる。
【０１２５】
補強層を積層体１１の表面に設けることもできる。その場合、積層体１１の突板層１、色柄層６、又は突板層１ないし色柄層６を交換可能とすることもできる。
【０１２６】
［実施形態５］
図１１は実施形態５を示す。この実施形態では、透光性化粧材Ａは、上記実施形態２（図７参照）と同様に、突板層１、隠蔽層５、補強層１６及び色柄層６が積層一体化されている。そして、実施形態２とは異なり、その突板層１は、木質薄単板表面の凹部２ａが透明性樹脂１７により充填されて平滑面とされ、その上に表面コート層９が形成されている。その他の構成は上記実施形態２（図７参照）と同様である。
【０１２７】
この実施形態の透光性化粧材Ａを製造する場合、積層体形成工程、凹凸形成工程及び樹脂含浸工程までは実施形態２（図８（ａ）〜図８（ｃ）参照）と同じである。その後、上記突板層１表面の凹部２ａに透明性樹脂１７を充填して突板層１表面を平滑面にし、しかる後にその平滑な表面をコーティング処理して表面コート層９を形成する。
【０１２８】
以上により、突板層１、隠蔽層５、補強層１６及び色柄層６が積層一体化され、その突板層１の平滑表面に表面コート層９が形成された図１１に示す透光性化粧材Ａが得られる。
【０１２９】
尚、上記実施形態２〜５では、補強層１６を積層体１１とは別に設けているが、補強層１６を隠蔽層５又は色柄層６の少なくとも一方で構成してもよい。
【０１３０】
［透光性化粧材の施工例］
図１２及び図１３は上記透光性化粧材Ａの施工例を示し、玄関用又は内装用の木質ドア等に適用したものである。すなわち、図１２において、２１はドアで、このドア２１は縦長の左右のドアパネル２２，２２間に縦長の透光性化粧材Ａを一体的に組み付けて固定したものであり、左右のドアパネル２２，２２及び透光性化粧材Ａは互いに同じ高さとされている。左右のドアパネル２２，２２は木質材料からなり、両ドアパネル２２，２２の対向縁部にはそれぞれ納め部材としてのモール２３，２３が固定され、これらモール２３，２３間に透光性化粧材Ａが組み付けられている。図１２中、２５はドア２１を開閉操作するためのハンドルである。
【０１３１】
図１３に示すように、上記モール２３，２３間には、室外側に位置するパネル材２４が固定され、このパネル材２４の室内側に透光性化粧材Ａが配置されている。上記パネル材２４は、例えばスリガラス等、透光性はあるが透光性化粧材Ａの積層体１１における色柄層６の色柄７の透けない材料で構成されている。
【０１３２】
透光性化粧材Ａは、積層体１１と、その裏側に配置された補強層１６とを有する。補強層１６は、例えば透明アクリル樹脂板や透明塩ビシート等からなり、積層体１１とパネル材２４との間に介在されている。
【０１３３】
積層体１１は、上記各実施形態で説明したものと同様に、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含んでいる。その隠蔽層５は、積層体１１の裏側からの光（例えば太陽光や室外の電灯光）がないときに色柄層６の色柄７を積層体１１表面から隠蔽する一方、積層体１１の裏側からの光があるときには色柄層６の色柄７を積層体１１表面に現出させる程度に透光性を有している。
【０１３４】
この実施形態においては、例えば夜間等で室外からの太陽光、或いは室外の電灯光がないときには、ドア２１の透光性化粧材Ａの積層体１１における色柄層６の色柄７は、その色柄層６よりも表側に位置する隠蔽層５により隠蔽され、その色柄７が突板層１（木質薄単板）表面に現出することはなく、突板層１表面の木目模様がそのまま露出する。このことで、室内側において、ドア２１は突板層１表面に木目模様のみが現れ、通常の木質の外観模様が得られる。
【０１３５】
これに対し、例えば日中等で室外からの太陽光、或いは夜間等で室外の電灯光があるときには、その光が透光性を有するパネル材２４及び補強層１６を介して積層体１１に裏側から照射される。この光により色柄層６の色柄７が、透光性を有する隠蔽層５及び透光性を有する突板層１（木質薄単板）を経て、該突板層１の表面に現出する。このことで、その色柄層６の色柄７が突板層１表面の木目模様に加えて現出して、木目模様中に色柄７が浮き上がったような外観を呈し、光源の消灯時（日中）とは異なる表情を演出することができる。
【０１３６】
したがって、この実施形態においては、ドア２１の一部に、室外からの光が裏側から当てられない状態と、光が裏側から当てられた状態との間で大きな差異のある外観が得られ、その意匠性を高めることができる。
【０１３７】
［発光化粧構造体の例１］
図１４〜図１７は、上記透光性化粧材Ａの積層体１１を光源と組み合わせて発光化粧構造体を構成し、その発光化粧構造体をベッドのヘッドボードに組み付けて固定したものである。
【０１３８】
すなわち、図１４において、２７はベッドで、このベッド２７は、前側（頭側）のヘッドボード２８と後側（足側）のフットボード３７とを左右のサイドレール３８，３８（一方のみを図示する）で連結して矩形枠状にし、左右のサイドレール３８，３８間に複数の板状のスノコ（図示せず）を掛け渡し、そのスノコの上にマットレス３９を載置した一般的な構造のものとされている。
【０１３９】
そして、上記ヘッドボード２８は、図１６及び図１７に示すように、ヘッドボード本体２９と、その後側面（フットボード３７と対向する面）に組み付けられた発光化粧構造体Ｂとを備えている。
【０１４０】
上記ヘッドボード本体２９の後面には、そのマットレス３９よりも上側部分に、ヘッドボード本体２９の後面を矩形状に凹陥してなる第１凹部３０と、その第１凹部３０の底面中央部を部分的に矩形状に凹陥してなる第２凹部３１とが段差状に形成されている。
【０１４１】
上記発光化粧構造体Ｂは、樹脂が含浸されてＷＰＣ処理されることで透光性を有する木質薄単板からなる突板層１と、この突板層１の裏面側に配置された隠蔽層５と、この隠蔽層５の裏面側に配置された補強層１６と、この補強層１６の裏面側に配置され、所定の色柄７が形成された色柄層６とを含む積層体１１を備え、これら突板層１、隠蔽層５、補強層１６及び色柄層６は積層されて一体化されている。
【０１４２】
上記突板層１、隠蔽層５、補強層１６及び色柄層６は、上記実施形態２（図７参照）と同様のものであり、突板層１は、木質薄単板の表面に浮造り加工により単板の春目部分を秋目部分よりも深く凹陥した凹凸部２が形成されかつ樹脂が含浸されてＷＰＣ処理されることで透光性を有する木質薄単板からなる。また、隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有している。これら突板層１及び隠蔽層５は、ヘッドボード２８の全体又は少なくともマットレス３９よりも上側部分と同じ大きさであり、ヘッドボード本体２９の後面に該後面を覆うように一体的に固定されて、ヘッドボード２８の後面を構成している。補強層１６及び色柄層６は突板層１及び隠蔽層５よりも小さく、ヘッドボード本体２９の第１凹部３０に嵌挿可能（必要に応じて取換え可能）な大きさとされている。色柄層６の構造は、上記実施形態２（図７参照）と同じであり、紙層の裏面に色柄７が反転印刷されている。尚、図示例では、紙層の中央に「富士山」の漢字及びその写真が印刷されているが、その他、家族や風景の写真を印刷したものでも、イラスト、キャラクター及び抽象柄等でもよく、ベッド２７から観る色柄７として好ましいものであれば、どのようなものでもよい。
【０１４３】
ヘッドボード本体２９後面の第１凹部３０内には、その第１凹部３０の大きさに対応する上記補強層１６及び色柄層６が嵌挿されている。また、上記積層体１１の裏側に位置する第２凹部３１の底面には、上記色柄層６の色柄７を積層体１１表面側に現出させるための光源４１が取り付けられている。この光源４１は、取付ボード４２上に並べられた状態で固定された複数の発光部４３，４３，…を有し、各発光部４３は例えばＬＥＤ（発光ダイオード）、電球、蛍光灯、面発光体（有機ＥＬシート）等からなっている。第２凹部３１内の空間は、光源４１を収容する光源収容部４８を構成しており、この光源収容部４８は、表側の積層体１１以外の部分では光に対して密閉されて光漏れのない構造で、表側の積層体１１のみから透光可能とされている。図１４及び図１５中、４５はベッド２７のヘッドボード２８上面に取り付けられたスイッチで、上記光源４１の点灯及び消灯を切り換えるものである。
【０１４４】
この例においては、スイッチ４９をオフにして光源４１を消灯状態にしているときには、図１４に示すように、発光化粧構造体Ｂの色柄層６の色柄７は、その色柄層６よりも表側に位置する隠蔽層５により隠蔽され、その色柄７が積層体１１の突板層１（木質薄単板）表面に現出することはなく、突板層１表面の木目模様がそのまま露出する。このことで、通常の木質の外観模様を呈するヘッドボード２８を有するベッド２７が得られる。
【０１４５】
その際、光源４１を収容する光源収容部４８が表側の積層体１１のみから透光可能で他の部分では光に対して密閉されているので、光源４１が点灯していない状態で、積層体１１の隠蔽層５よりも裏側にある部分（色柄層６も含む）が積層体１１表面から確実に見え難くなる（光源４１の点灯によって初めて色柄層６の色柄７が積層体１１表面に現出する）。
【０１４６】
これに対し、スイッチ４９をオン操作して光源４１を点灯させると、その光源４１からの光が積層体１１に裏側から照射される。このときには、図１５に示すように、その光により色柄層６の色柄７が、透光性を有する隠蔽層５、透光性を有する補強層１６、及び透光性を有する突板層１（木質薄単板）を経て、該突板層１の表面に鮮明に現出する。このことで、その色柄層６の色柄７が積層体１１の表面側に木質薄単板表面の木目模様に加えて現出して、木目模様中に色柄７が浮き上がったような外観を呈する。すなわち、光源４１の消灯状態では、表面木目模様のベッド２７が光源４１の点灯に伴い色柄７が現出するようになり、雰囲気を大きく変化させることができる。
【０１４７】
したがって、この例においても、ベッド２７のヘッドボード２８に、光源４１が消灯されて該光源４１からの光が裏側から当てられない状態と、光源４１の点灯光が裏側から当てられた状態との間で大きな差異のある外観が得られ、その意匠性を高めることができる。
【０１４８】
［発光化粧構造体の例２］
図１８〜図２０は発光化粧構造体の例２を示し、上記例１では、発光化粧構造体Ｂをベッド２７のヘッドボード２８に取換え不能に組み付けているのに対し、この例では、発光化粧構造体Ｂを取換え可能に組み付けたものである。
【０１４９】
すなわち、この例２では、ベッド２７におけるヘッドボード２８のヘッドボード本体２９の後側面（フットボード３７と対向する面）に発光化粧構造体Ｂが交換可能に組み付けられている。
【０１５０】
具体的には、ヘッドボード本体２９の後面には、そのマットレス３９よりも上側の上下中間部分に、ヘッドボード本体２９の後面を左右端間に亘り断面矩形状に凹陥してなる凹溝部３２が形成されている。また、ヘッドボード本体２９の後面は上記凹溝部３２の開口の上下角部が凹陥されていて、その凹陥部分に、凹溝部３２の開口のみを覆うように透明アクリル板や透明塩ビシート等からなる透明の透明板３３が嵌合されて固定されており、この透明板３３により開口が覆われた凹溝部３２はヘッドボード本体２９の左右端面で開口している。
【０１５１】
発光化粧構造体Ｂは、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含む積層体１１を備え、この色柄層６の裏面側に補強層１６が配置されている。
【０１５２】
上記突板層１、隠蔽層５、色柄層６及び補強層１６は、上記実施形態４（図１０参照）と同様のものであり、突板層１は、木質薄単板の表面に浮造り加工により単板の春目部分を秋目部分よりも深く凹陥した凹凸部２が形成されかつ樹脂が含浸されてＷＰＣ処理されることで透光性を有する木質薄単板からなる。また、隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有している。色柄層６の構造は、上記実施形態１（図５参照）と同じであり、紙層の裏面に色柄７が反転印刷されている。尚、図示例では、紙層の中央に「富士山」の漢字及びその写真が印刷されているが、その他、家族や風景の写真を印刷したものでもよく、ベッド２７から観る色柄７として好ましいものであれば、どのような色柄でもよい。補強層１６は透明アクリル板、透明塩ビシート等からなり、積層体１１とは別体に設けられている。これら突板層１、隠蔽層５、色柄層６及び補強層１６はいずれも同じ大きさで、上記ヘッドボード本体２９の凹溝部３２内に嵌挿可能とされている。
【０１５３】
ヘッドボード本体２９後面の凹溝部３２内には、その凹溝部３２の溝幅に対応する大きさの上記積層体１１（突板層１、隠蔽層５、色柄層６及び補強層１６）がヘッドボード本体２９の左右端面の開口を通して着脱可能に嵌挿されている。この積層体１１の凹溝部３２内への嵌挿状態では、裏面のアクリル板等からなる補強層１６と上記透明板３３との間に積層体１１の突板層１、隠蔽層５及び色柄層６が挟み込まれて固定されるようになっている。
【０１５４】
さらに、積層体１１の裏側である、凹溝部３２の底面には、上記色柄層６の色柄７を積層体１１表面側に現出させるための光源４１が取り付けられている。この光源４１は上記発光化粧構造体の例１と同様のもので、取付ボード４２上に並べられて固定されたＬＥＤ（発光ダイオード）等からな複数の発光部４３，４３，…を有する。凹溝部３２内の空間は、光源４１を収容する光源収容部４８を構成しており、この光源収容部４８は、表側の積層体１１以外の部分では光に対して密閉されて光漏れのない構造で、表側の積層体１１のみから透光可能とされている。上記光源４１は、ヘッドボード２８上面に取り付けたスイッチ４９により点灯及び消灯が切り換えられる。
【０１５５】
この例においては、スイッチ４９をオフにして光源４１を消灯状態にしているときには、図１８に示すように、発光化粧構造体Ｂの色柄層６の色柄７は、その色柄層６よりも表側に位置する隠蔽層５により隠蔽され、その色柄７が積層体１１の突板層１（木質薄単板）表面に現出することはなく、突板層１表面の木目模様がそのまま露出する。このことで、通常の木質の外観模様を呈するヘッドボード２８を有するベッド２７が得られる。
【０１５６】
これに対し、スイッチ４９をオン操作して光源４１を点灯させると、その光源４１からの光が補強層１６及び積層体１１に裏側から照射される。このときには、図１９に示すように、その光により色柄層６の色柄７が、補強層１６、透光性を有する隠蔽層５及び透光性を有する突板層１（木質薄単板）を経て、該突板層１の表面に鮮明に現出する。このことで、その色柄層６の色柄７が積層体１１の表面側に木質薄単板表面の木目模様に加えて現出して、木目模様中に色柄７が浮き上がったような外観を呈する。
【０１５７】
そして、積層体１１における突板層１の木目柄や色柄層６の色柄７を変える場合には、積層体１１を補強層１６と共に凹溝部３２から、そのヘッドボード本体２９左右端の開口を通して引き出し、新しい木目柄の突板層１や色柄７が形成された色柄層６を補強層１６と共に上記とは逆にヘッドボード本体２９左右端の開口から凹溝部３２内に嵌挿すればよい。
【０１５８】
したがって、この例においても、ベッド２７のヘッドボード２８に、光源４１が消灯されて該光源４１からの光が裏側から当てられない状態と、光源４１の点灯光が裏側から当てられた状態との間で大きな差異のある外観が得られ、その意匠性を高めることができる。
【０１５９】
また、ヘッドボード２８に対し積層体１１の突板層１又は色柄層６が交換可能であるので、必要に応じて突板層１の木目や色柄７を別のものに取り換えることができ、ベッド２７の雰囲気を自由に変えることができる。
【０１６０】
尚、積層体１１の突板層１又は色柄層６の少なくとも一方を交換できるように他の層と別体にすることもできる。
【０１６１】
また、上記実施形態１及び２では、ベッド２７のヘッドボード２８に発光化粧構造体Ｂを設けているが、フットボード３７に設けてもよく、ヘッドボード２８及びフットボード３７の双方に設けてもよい。
【０１６２】
［発光化粧構造体の例３］
図２１〜図２６は発光化粧構造体の例３を示し、テーブルの天板に設けたものである。
【０１６３】
すなわち、図２１において、５１はテーブルであって、このテーブル５１は、床面に載置される基台５２と、この基台５２に立設された脚部５３と、この脚部の上端に固定された天板５４とを備えている。
【０１６４】
上記天板５４は、図２２に示すように、矩形状の天板本体５５と、その上面に組み付けられた発光化粧構造体Ｂとを備えている。この発光化粧構造体Ｂは、図２３〜図２５に示すように、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含む積層体１１を備え、これら突板層１、隠蔽層５及び色柄層６は積層されて一体化されている。図２３は積層体１１（突板層１）の表面を、また図２４は積層体１１（色柄層６）の裏面をそれぞれ示している。
【０１６５】
上記突板層１、隠蔽層５及び色柄層６は、上記実施形態１（図５参照）と同様のものであり、突板層１は、木質薄単板の表面に浮造り加工により単板の春目部分を秋目部分よりも深く凹陥した凹凸部２が形成されかつ樹脂が含浸されてＷＰＣ処理されることで透光性を有する木質薄単板からなる。また、隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有している。
【０１６６】
天板本体５５の上面には、例えばその長さ方向の中間部分に、天板本体５５の上面を幅方向の端部間に亘り断面矩形状に凹陥してなる第１凹溝部５６と、その第１凹溝部５６の底面中央部を断面矩形状に凹陥してなる第２凹溝部５７とが段差状に形成されている。また、天板本体５５の上面は上記第１凹溝部５６の開口の両角部が凹陥されていて、その凹陥部分に、第１凹溝部５６の開口のみを覆うようにアクリル板等からなる透明板５８が嵌合されて固定されており、この透明板５８により開口が覆われた第１凹溝部５６とその底面の第２凹溝部５７とはいずれも天板本体５５の幅方向の端面で開口している。
【０１６７】
上記第１凹溝部５６内には、その第１凹溝部５６の溝幅に対応する大きさの上記積層体１１（突板層１、隠蔽層５及び色柄層６）が着脱可能に嵌挿されている。さらに、積層体１１の裏側である、第２凹溝部５７の底面には、上記色柄層６の色柄７を積層体１１表面側に現出させるための光源４１が取り付けられている。この第２凹溝部５７内の空間は、光源４１を収容する光源収容部４８を構成しており、この光源収容部４８は、表側の積層体１１以外の部分では光に対して密閉されて光漏れのない構造で、表側の積層体１１のみから透光可能とされている。
【０１６８】
そして、図２４に示すように、色柄層６には互いに異なる複数の色で色柄７が形成されている。図示例では、色柄層６の色柄７は、矩形の平面を９つのマス目に区画するように描かれた格子部と、５つのマス目内に描かれた５つの「円形」（●）と、残り４つのマス目内に描かれた４つの「三角形」（▲）とからなるものであり、背景、格子部、「円形」及び「三角形」の色は互いに異なり、背景は白色、格子部は黄色（図では点（ドット）にて示す）、「円形」は赤色（図では粗い間隔の斜線にて示す）であり、「三角形」は緑色（図では細かい間隔の斜線にて示す）となっている。
【０１６９】
一方、上記光源４１は、点灯時に上記色柄７の色と同じか又は近似した複数の色に発色可能とされている。すなわち、光源４１は例えば基板（図示せず）上に複数の光源モジュール４４，４４，…を配列したものであり、図示しないが、各光源モジュール４４はＬＥＤチップと、そのＬＥＤチップを覆う封止樹脂とからなり、一部の光源モジュール４４の封止樹脂にはＬＥＤの発光の一部の波長を変換して蛍光を放射させる１又は複数種類の蛍光体が混入されており、その蛍光体の種類の調整等により光源モジュール４４が異なる色に発色する。具体的には、一部の光源モジュール４４は格子部と同じ黄色か又は黄色に近似した色に、また他の一部の光源モジュール４４は背景の色と同じ白色か又は白色に近似した色に、さらに残りの光源モジュール４４は「円形」の色と同じ赤色か又は赤色に近似した色にそれぞれ発色する。これら複数の光源モジュール４４，４４，…は図外の切換スイッチ４９により点灯及び消灯状態が切り換えられ、かつ点灯状態では異なる色毎に点灯可能とされて、その発色が変更可能とされている。こうして点灯する光源モジュール４４の発色を変えることにより積層体１１表面側に現出する色柄７を変化させ、全ての色の光源モジュール４４を消灯させたときには、図２６（ａ）に示すように、色柄層６の全ての色柄７を突板層１（木質薄単板）の表面に現出させないが、いずれかの色の光源モジュール４４が点灯したときには、色柄層６の色柄７のうち光源モジュール４４の色以外の色の色柄７を突板層１（木質薄単板）の表面に現出させ、黄色を発色する光源モジュール４４が点灯したときには、図２６（ｂ）に示すように、黄色の格子部を除いた色の色柄７を突板層１の表面に、また白色を発色する光源モジュール４４が点灯したときには、図２６（ｃ）に示すように、白色の背景を除いた色の色柄７を突板層１の表面に、さらに赤色を発色する光源モジュール４４が点灯したときには、図２６（ｄ）に示すように、赤色の「円形」を除いた色の色柄７を突板層１の表面にそれぞれ現出させるようにしている。
【０１７０】
この例においては、切換スイッチをオフにして全ての光源モジュール４４，４４，…を消灯状態にしているときには、図２６（ａ）に示すように、発光化粧構造体Ｂの色柄層６の色柄７は、その色柄層６よりも表側に位置する隠蔽層５により隠蔽され、その色柄７が積層体１１の突板層１（木質薄単板）表面に現出することはなく、突板層１表面の木目模様がそのまま露出する。このことで、通常の木質の天板５４を有するテーブル５１の外観模様が得られる。
【０１７１】
これに対し、切換スイッチをオン操作して光源４１を点灯させると、その光源モジュール４４，４４，…からの光が積層体１１に裏側から照射される。このときには、図２６（ｂ）〜図２６（ｄ）に示すように、その光により色柄層６の色柄７が、透光性を有する隠蔽層５及び透光性を有する突板層１（木質薄単板）を経て、該突板層１の表面に現出する。このことで、その色柄層６の色柄７が積層体１１の表面側に木質薄単板表面の木目模様に加えて現出して、木目模様中に色柄７が浮き上がったような外観を呈する。すなわち、光源４１の消灯状態では、表面木目模様のテーブル５１が光源４１の点灯に伴い色柄７が現出するようになり、雰囲気を大きく変化させることができる。
【０１７２】
そして、上記点灯する光源モジュール４４は異なる色毎に点灯状態が切り換えられる。黄色を発色する光源モジュール４４が点灯したときには、図２６（ｂ）に示すように黄色の格子部を除いた色の色柄７が、また白色を発色する光源モジュール４４が点灯したときには、図２６（ｃ）に示すように白色の背景を除いた色の色柄７が、さらに赤色を発色する光源モジュール４４が点灯したときには、図２６（ｄ）に示すように赤色の「円形」を除いた色の色柄７が、それぞれ突板層１の表面に現出される。このことにより、複数の色柄を切り換えて表面に現出させることができ、テーブル５１の外観見映えを高めることができる。
【０１７３】
そして、表面に現出する色柄７を交換する場合には、積層体１１を天板本体５５の第１凹溝部５６から、その天板本体５５の幅方向端面の開口を通して引き出し、新しい色柄７が形成された色柄層６を有する積層体１１を上記とは逆に天板本体５５端面の開口から第１凹溝部５６内に嵌挿すればよい。尚、この交換する色柄層６の色柄７も光源４１の発色に対応した複数種類の色に分けられている。
【０１７４】
したがって、この例においても、テーブル５１の天板５４に、光源４１が消灯されて該光源４１からの光が裏側から当てられない状態と、光源４１の点灯光が裏側から当てられた状態との間で大きな差異のある外観が得られ、その意匠性を高めることができる。
【０１７５】
また、天板本体５５及び透明板５８に対し積層体１１が交換可能であるので、必要に応じて積層体１１を交換して色柄層６の色柄７を別のものに取り換えることができ、テーブル５１の雰囲気を自由に変えることができる。
【０１７６】
［発光化粧構造体の例４］
尚、上記例３では、テーブル５１の天板本体５５及び透明板５８に対し積層体１１を交換可能としているが、図２７に示すように、透明板５８を天板本体５５に対して着脱可能に固定し、その透明板５８の裏面（下面）に積層体１１を一体的に固定して透明板５８を補強層１６とすることで、積層体１１を透明板５８と共に天板本体５５に対し交換可能とするようにしてもよい。
【０１７７】
この例では、積層体１１は、天板本体５５と略同じ大きさの突板層１、隠蔽層５及び色柄層６を有する。その突板層１は、木質薄単板の表面に浮造り加工により春目部分を秋目部分よりも深く凹陥した凹凸部２が形成されかつ樹脂が含浸されてＷＰＣ処理されることで透光性を有する木質薄単板からなる。また、隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有している。色柄層６には、図２４に示すような所定の色柄７が形成されている。その他の構造は図２１及び図２２に示す実施形態３と同様である。
【０１７８】
したがって、この例においても、テーブル５１の天板５４に、光源４１が消灯されて該光源４１からの光が裏側から当てられない状態と、光源４１の点灯光が裏側から当てられた状態との間で大きな差異のある外観が得られ、その意匠性を高めることができる。
【０１７９】
また、天板本体５５に対し積層体１１が透明板５８（補強層１６）と共に交換可能であるので、必要に応じて積層体１１及び透明板５８を交換して色柄層６の色柄７を別のものに取り換えることができ、テーブル５１の雰囲気を自由に変えることができる。
【０１８０】
［発光化粧構造体の例５］
図２８及び図２９は発光化粧構造体Ｂの例５を示し、階段の蹴込板に設置したものである。
【０１８１】
すなわち、図２８において、６１は階段であって、この階段６１は、上部に水平部６２ａと垂直部６２ｂとが交互に段状に形成された雛段型の側桁６２を有し、該側桁６２の各水平部６２ａには踏板６５が載置固定され、側桁６２の各垂直部６２ｂには蹴込板６６が、上側に位置する踏板６５の手前端部と下側に位置する踏板６５の奥端部とに亘るように施工されている。この階段６１の構造は通常のものと同様である。図２８中、６４は側桁６２を支持する受梁である。
【０１８２】
そして、この例では、上記各蹴込板６６は発光化粧構造体Ｂからなっている。図２９に拡大して示すように、この発光化粧構造体Ｂ（蹴込板６６）は、積層体１１と、この積層体１１の裏側（奥側）に配置された光源４１とを備えてなる。上記積層体１１は、上記各実施形態と同様に、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含み、積層体１１の裏面には透光性を有する補強層１６が配置されている。積層体１１の隠蔽層５は、積層体１１の裏側からの光源４１による光がないときに色柄層６の色柄７を積層体１１表面から隠蔽する一方、積層体１１の裏側からの光源４１による光があるときには色柄層６の色柄７を積層体１１表面に現出させる程度に透光性を有している。
【０１８３】
上記補強層１６は、例えば透明アクリル樹脂板や透明塩ビシート等からなり、積層体１１と光源４１との間に介在されるものである。
【０１８４】
また、積層体１１の裏側に配置されている光源４１は、図外のスイッチにより点灯状態及び消灯状態に切り換えられる電球、蛍光灯、ＬＥＤや有機ＥＬシート（面発光体）等からなり、その光により色柄層６の色柄７を積層体１１表面側に現出させる。
【０１８５】
この例においては、例えば日中でスイッチをオフにして光源４１を消灯状態にしているときには、各蹴込板６６（発光化粧構造体Ｂ）の積層体１１における色柄層６の色柄７は、その色柄層６よりも表側に位置する隠蔽層５により隠蔽され、その色柄７が突板層１（木質薄単板）表面に現出することはなく、突板層１表面の木目模様がそのまま露出する。このことで、通常の木質を呈する蹴込板６６及び階段６１の外観模様が得られる。
【０１８６】
これに対し、例えば夜間にスイッチをオン操作して光源４１を点灯させると、その光源４１からの光が透光性を有する基材を介して積層体１１に裏側から照射される。このときには、その光により色柄層６の色柄７が、透光性を有する隠蔽層５及び透光性を有する突板層１（木質薄単板）を経て、該突板層１の表面に現出する。このことで、その色柄層６の色柄７が突板層１表面の木目模様に加えて現出して、木目模様中に色柄７が浮き上がったような外観を呈し、光源４１の消灯時（日中）とは異なる表情を演出することができる。
【０１８７】
また、こうして階段６１の蹴込板６６が光ることで踏板６５が照らされ、階段６１の昇降時に足下が明るくなって歩行の安全性に寄与することができる。
【０１８８】
したがって、この例においては、階段６１の蹴込板６６に、光源４１が消灯されて該光源４１からの光が裏側から当てられない状態と、光源４１の点灯光が裏側から当てられた状態との間で大きな差異のある外観が得られ、その意匠性を高めることができる。
【０１８９】
［発光化粧構造体の例６］
図３０〜図３２は発光化粧構造体Ｂの例６を示し、発光化粧構造体Ｂは部屋の床面、壁面及び天井面に施工したものである。
【０１９０】
図３０及び図３１において、７１は部屋の床、７２は壁、７３は天井であり、これら床７１、壁７２及び天井７３の各中間部には係る発光化粧構造体Ｂが連続するように施工されている（図３０で点線にて挟まれた範囲）。
【０１９１】
床７１、壁７２及び天井７３での施工構造は互いに同じであり、図３２に示すように、下地材７４において発光化粧構造体Ｂの施工範囲に断面矩形状に凹陥した凹陥部７５が形成され、その凹陥部７５に発光化粧構造体Ｂが組み付けられている。この発光化粧構造体Ｂは、部屋の室内側に位置する積層体１１と、この積層体１１の裏側（奥側）に配置された光源４１とを備えてなる。上記積層体１１は、上記各実施形態と同様に、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７（図示例では大小の複数の円）が形成された色柄層６とを含み、積層体１１の裏面には透光性を有する補強層１６が配置されている。積層体１１の隠蔽層５は、積層体１１の裏側からの光源４１による光がないときに色柄層６の色柄７を積層体１１表面から隠蔽する一方、積層体１１の裏側からの光源４１による光があるときには色柄層６の色柄７を積層体１１表面に現出させる程度に透光性を有している。
【０１９２】
上記補強層１６は、例えば透明アクリル樹脂板や透明塩ビシート等からなり、積層体１１と光源４１との間に介在されるものである。
【０１９３】
また、積層体１１の裏側に配置されている光源４１は、図外のスイッチにより点灯状態及び消灯状態に切り換えられる電球、蛍光灯、ＬＥＤや有機ＥＬシート（面発光体）等のからなり、その光により色柄層６の色柄７を積層体１１表面側に現出させる。この光源４１は下地材７４の凹陥部７５内に配置されている。
【０１９４】
下地材７４において、凹陥部７５の左右両側部分の表面には、上記補強層１６に積層体１１を加えた厚さと同じ厚さの化粧板７６が固定されている。この各化粧板７６は、ＭＤＦ等の化粧板用基材７７と、この各基材７７の表面に接着された突板７８とを備えている。この突板７８は、積層体１１の突板層１と同じ木質薄単板からなり、ＷＰＣ化のみされていないものが用いられている。そして、化粧板７６と発光化粧構造体Ｂとを隣接して施工することで、床７１、壁７２及び天井７３の発光化粧構造体Ｂにおける突板層１の表面と化粧板７６の表面とが面一になり、かつ突板層１及び突板７８間で同じ木目模様を呈するようになっている。
【０１９５】
この例においては、例えば日中でスイッチをオフにして光源４１を消灯状態にしているときには、床７１、壁７２及び天井７３に施工されている発光化粧構造体Ｂの積層体１１における色柄層６の色柄７は、その色柄層６よりも表側に位置する隠蔽層５により隠蔽され、その色柄７が突板層１（木質薄単板）表面に現出することはなく、突板層１表面の木目模様がそのまま露出する。このことで、図３０に示すように、通常の木質を呈する床７１、壁７２及び天井７３の外観模様が得られる。
【０１９６】
その際、発光化粧構造体Ｂにおける突板層１の表面と化粧板７６の表面とが面一で同じ突板の木目模様を呈するので、どの部分に発光化粧構造体Ｂが施工されているのかが判り難くなり、外観見映えがよい。
【０１９７】
これに対し、例えば夜間にスイッチをオン操作して光源４１を点灯させると、その光源４１からの光が透光性を有する補強層１６を介して積層体１１に裏側から照射される。このときには、その光により色柄層６の色柄７が、透光性を有する隠蔽層５及び透光性を有する突板層１（木質薄単板）を経て、該突板層１の表面に現出する。このことで、図３１に示すように、その色柄層６の色柄７が突板層１表面の木目模様に加えて現出して、木目模様中に色柄７が浮き上がったような外観を呈し、光源４１の消灯時（日中）とは異なる表情を演出することができる。
【０１９８】
したがって、この例においては、床７１、壁７２及び天井７３の一部に、光源４１が消灯されて該光源４１からの光が裏側から当てられない状態と、光源４１の点灯光が裏側から当てられた状態との間で大きな差異のある外観が得られ、その意匠性を高めることができる。
【０１９９】
尚、この実施形態では、部屋の床７１、壁７２及び天井７３の全てに亘り発光化粧構造体Ｂを施工しているが、床７１、壁７２及び天井７３のいずれか１つ又は２つに施工してもよい。
【０２００】
［発光化粧構造体の例７］
図３３及び図３４は実施形態６に係る発光化粧構造体Ｂを示し、欄間に施工したものである。
【０２０１】
図３３において、８１は部屋の壁７２の下端部に施工された敷居、８２は壁７２の上部に施工された鴨居であって、これら敷居８１と鴨居８２との間には壁７２の開口を開閉する襖８３が嵌め込まれている。また、壁７２の上端部である鴨居８２の上側には、襖８３（壁７２の開口）に対応する位置に欄間８４が設けられている。この欄間８４は鴨居８２と天井７３面との間に施工された枠部材８５に嵌め込まれて固定されている。
【０２０２】
図３４に示すように、欄間８４は、壁７２の厚さ方向の中央部に位置する非透光性の固定板８６を有し、この固定板８６の周縁部には、枠部材８５の内周面に形成した凹溝８５ａに嵌合されて固定板８６を枠部材８５に固定するための嵌合部８６ａが設けられている。固定板８６の厚さ方向の両側にはそれぞれ発光化粧構造体Ｂ，Ｂが配置されている。各発光化粧構造体Ｂは、積層体１１と、この積層体１１の裏側（壁７２の厚さ方向の中央側）に配置された光源４１とを備えてなる。上記積層体１１は、上記各実施形態と同様に、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含み、積層体１１の裏面には透光性を有する補強層１６が配置されている。積層体１１の隠蔽層５は、積層体１１の裏側からの光源４１による光がないときに色柄層６の色柄７を積層体１１表面から隠蔽する一方、積層体１１の裏側からの光源４１による光があるときには色柄層６の色柄７を積層体１１表面に現出させる程度に透光性を有している。
【０２０３】
上記補強層１６は、例えば透明アクリル樹脂板や透明塩ビシート等からなり、積層体１１と光源４１との間に介在されるものである。
【０２０４】
また、積層体１１の裏側に配置されている光源４１は、図外のスイッチにより点灯状態及び消灯状態に切り換えられる電球、蛍光灯、ＬＥＤや有機ＥＬシート（面発光体）からなり、その光により色柄層６の色柄７を積層体１１表面側に現出させる。
【０２０５】
この例においては、例えば日中でスイッチをオフにして光源４１を消灯状態にしているときには、各発光化粧構造体Ｂの積層体１１における色柄層６の色柄７は、その色柄層６よりも表側に位置する隠蔽層５により隠蔽され、その色柄７が突板層１（木質薄単板）表面に現出することはなく、突板層１表面の木目模様がそのまま露出する。このことで、通常の木質を呈する欄間８４の外観模様が得られる。
【０２０６】
これに対し、例えば夜間にスイッチをオン操作して光源４１を点灯させると、その光源４１からの光が透光性を有する基材を介して積層体１１に裏側から照射される。このときには、その光により色柄層６の色柄７が、透光性を有する隠蔽層５及び透光性を有する突板層１（木質薄単板）を経て、該突板層１の表面に現出する。このことで、その色柄層６の色柄７が突板層１表面の木目模様に加えて現出して、木目模様中に色柄７が浮き上がったような外観を呈し、光源４１の消灯時（日中）とは異なる表情を演出することができる。
【０２０７】
また、欄間８４には、固定板８６の両側に発光化粧構造体Ｂ，Ｂが配置されているので、部屋の内側及び外側からそれぞれ上記発光化粧構造体Ｂの効果を得ることができる。特に、両方の発光化粧構造体Ｂ，Ｂにおける色柄層６，６の色柄７，７を互いに異ならせることができ、部屋毎に見合う意匠の欄間８４が得られる。例えば和室と洋室との間の壁７２に欄間８４がある場合には、その和室及び洋室にそれぞれ対応した色柄７を採用すればよい。
【０２０８】
したがって、この例においても、欄間８４に、光源４１が消灯されて該光源４１からの光が裏側から当てられない状態と、光源４１の点灯光が裏側から当てられた状態との間で大きな差異のある外観が得られ、その意匠性を高めることができる。
【０２０９】
［その他の実施形態］
本発明は上記各実施形態に限定されるものではなく、種々の実施形態を包含している。例えば、上記実施形態では、透光性化粧材Ａ（発光化粧構造体Ｂ）をベッド２７のヘッドボード２８やフットボード、テーブル５１の天板５４、階段６１の蹴込板６６、床７１、壁７２、天井７３、欄間８４に施工しているが、他の箇所や部材に施工し又は組み込むようにしてもよい。例えば、照明器具のシェード等が好ましい（その場合、照明器具のランプが光源となる）。
【産業上の利用可能性】
【０２１０】
本発明は、意匠性に優れた透光性化粧材や発光化粧構造体が得られるので、極めて有用であり、産業上の利用可能性が高い。
【符号の説明】
【０２１１】
Ａ  透光性化粧材
Ｂ  発光化粧構造体
１  突板層
２  凹凸部
２ａ  凹部
５  隠蔽層
６  色柄層
７  色柄
９  表面コート層
１１  積層体
１６  補強層
１７  透明性樹脂
２１  ドア
２７  ベッド
２８  ヘッドボード
４１  光源
４８  光源収容部
５１  テーブル
５４  天板
６１  階段
６６  蹴込板
７１  床
７２  壁
７３  天井
８４  欄間
【図１】
2012179801.tif 000003
【図２】
2012179801.tif 000004
【図５】
2012179801.tif 000005
【図６】
2012179801.tif 000006
【図７】
2012179801.tif 000007
【図８】
2012179801.tif 000008
【図９】
2012179801.tif 000009
【図１０】
2012179801.tif 000010
【図１１】
2012179801.tif 000011
【図１２】
2012179801.tif 000012
【図１３】
2012179801.tif 000013
【図１４】
2012179801.tif 000014
【図１６】
2012179801.tif 000015
【図１７】
2012179801.tif 000016
【図１８】
2012179801.tif 000017
【図２０】
2012179801.tif 000018
【図２１】
2012179801.tif 000019
【図２２】
2012179801.tif 000020
【図２３】
2012179801.tif 000021
【図２４】
2012179801.tif 000022
【図２５】
2012179801.tif 000023
【図２６】
2012179801.tif 000024
【図２７】
2012179801.tif 000025
【図２８】
2012179801.tif 000026
【図２９】
2012179801.tif 000027
【図３０】
2012179801.tif 000028
【図３１】
2012179801.tif 000029
【図３２】
2012179801.tif 000030
【図３３】
2012179801.tif 000031
【図３４】
2012179801.tif 000032
【図３】
2012179801.tif 000033
【図４】
2012179801.tif 000034
【図１５】
2012179801.tif 000035
【図１９】
2012179801.tif 000036
【手続補正書】
【提出日】平成23年9月30日(2011.9.30)
【手続補正１】
【補正対象書類名】明細書
【補正対象項目名】全文
【補正方法】変更
【補正の内容】
【発明の詳細な説明】
【技術分野】
【０００１】
本発明は、住宅等の建築物の床用、壁用、その他の内装用建材や家具の面材等として用いるのに好適な装飾性に優れた透光性を有する化粧材に関する。
【背景技術】
【０００２】
従来、この種の透光性を有する化粧材として、特許文献１に示されているように、天然木の表面に研磨材を吹き付けることで、密なる輪層（秋目部分）と粗なる輪層（春目部分）とを有する年輪のうちの粗なる輪層を刳り抜き除去して、密なる輪層のみの骨格を持つ透かし状にし、それを照明器具のシェード等に用いたものは知られている。
【０００３】
また、特許文献２には、ガラスや樹脂等の透明板の表面に木質薄単板からなる突板を、また裏面に模様付きカッティングシートをそれぞれ接着して一体化し、裏面からの光によりカッティングシートのシルエット模様を突板の木目模様と共に表側に現出させるようにした照明用装飾突板貼着積層体が提案されている。
【０００４】
さらに、特許文献３に示されるものでは、透光性木目付化粧板として、木質薄単板の裏面に不織布が接着された木目シートを裏面にて透明樹脂板に接着するようにしている。
【０００５】
この他、光透過性を有する突板を利用し、その突板を透光性基材の表面に積層して突板層を形成し、基材裏側の光源の光を突板層表面から照射させることにより、光源の消灯時には、通常の木目調パネルに見えるが、光源の点灯時には、突板層の木目を浮かび上がらせて現出させるようにしたものが提案されている（例えば特許文献４〜８参照）。
【０００６】
また、突板層と光源との間に絵柄模様を描いた絵柄層を配置し、その絵柄を影絵のように突板層表面に現出させることが提案されている（例えば特許文献５，７参照）。
【先行技術文献】
【特許文献】
【０００７】
【特許文献１】特開２００３−１０９４１４号公報
【特許文献２】実用新案登録第３１５３３１１号公報
【特許文献３】特開２００２−１４４４８３号公報
【特許文献４】特開平８−２６７６６７号公報
【特許文献５】特開２００２−２０５５００号公報
【特許文献６】特開２００９−８０９８１号公報
【特許文献７】特開２００９−１６０８１９号公報
【特許文献８】特開２０１０−１８０５６３号公報
【発明の概要】
【発明が解決しようとする課題】
【０００８】
しかし、上記従来の特許文献のものでは、いずれも、木質薄単板からなる突板層の透光性を利用し、光源からの光を突板層に透過させて表面に放射させたり、絵柄を表面に現出させたりしているものの、その突板層の透光性が低く、表面に絵柄を明確にかつ鮮明に現出させることが困難であった。さりとて、透光性を高めるために突板層の厚さを薄くすればよいが、それには限度がある。
【０００９】
また、裏側の光源からの光により絵柄を表面側に現出させるようにすると、光源からの光がないときでも絵柄が表面側に露呈してしまい、不自然な外観になるという問題がある。
【００１０】
本発明は斯かる点に鑑みてなされたものであり、その目的は、木質化粧材の構造に改良を加えることにより、裏側から光がないときには、色柄が表面側に露呈せず、通常の木質化粧材の外観を呈する一方、裏側から光が当たったときには、一転、木目と共に色柄が表面に明確にかつ鮮明に現出する透光性化粧材が得られるようにすることにある。
【課題を解決するための手段】
【００１１】
上記の目的を達成するために、この発明では、表面の突板層を木質薄単板に樹脂が含浸されたＷＰＣ（Wood Plastic Combination：樹脂含浸）処理されたものとする。それとともに、その突板層と裏側の色柄層との間に、裏側からの光がないときに色柄層の色柄を表面から隠蔽するための隠蔽層を配置するようにした。
【００１２】
具体的には、第１の発明では、透光性化粧材は、樹脂が含浸されてＷＰＣ処理された透光性を有する木質薄単板からなる突板層と、この突板層の裏面側に配置された隠蔽層と、この隠蔽層の裏面側に配置され、所定の色柄が形成された透光性を有する色柄層とを含む積層体からなる。
【００１３】
上記隠蔽層は、積層体の裏側からの光がないときに上記色柄層の色柄を積層体表面から該色柄が積層体表面に現出しない状態に隠蔽する一方、積層体の裏側からの光があるときには色柄層の色柄を積層体表面に現出させる程度に透光性を有している。
【００１４】
そして、透光性化粧材は、裏側からの光で上記色柄層の色柄が表面側に現出するように構成されている。上記色柄層の色柄は絵柄のみ、色のみ、或いは色と絵柄とを組み合わせたものであってもよい。
【００１５】
この第１の発明では、透光性化粧材は、突板層、隠蔽層及び色柄層を含む積層体からなり、その突板層は樹脂の含浸によりＷＰＣ処理されて透光性を有する木質薄単板からなるので、突板層となる薄単板の厚さを極度に薄くせずとも、その高い透光性が得られる。そのため、透光性化粧材の裏側から光が照射されると、その光により色柄層の色柄が透光性化粧材の表面側に鮮明にかつ明確に木質薄単板表面の木目模様に加えて現出する。
【００１６】
また、積層体の隠蔽層は、積層体の裏側からの光がないときに色柄層の色柄を積層体表面から該色柄が積層体表面に現出しない状態に隠蔽し、裏側からの光があるときには色柄層の色柄を積層体表面に現出させる程度に透光性を有しているので、透光性化粧材の裏側からの光がない場合は、色柄層の色柄は積層体表面から隠蔽され、透光性化粧材の表面側に現出することがなく、突板層表面の木目模様がそのまま露出し、通常の化粧材と同様の木目模様を有する木質の外観模様が得られる。
【００１７】
すなわち、透光性化粧材は、裏側から光を当てない状態と、光を当てた状態との間で大きな差異のある外観が得られ、その意匠性を高めることができる。
【００１８】
第２の発明では、上記第１の発明に係る透光性化粧材において、突板層は、木質薄単板の表面に浮造り加工により木質薄単板の春目部分を秋目部分よりも深く凹陥した凹凸部が形成されてＷＰＣ処理されたものとする。
【００１９】
この第２の発明では、木質薄単板の表面に浮造り加工により木質薄単板の春目部分を秋目部分よりも深く凹陥した凹凸部が形成され、その表面に樹脂が含浸されてＷＰＣ処理されるので、凹部により薄くなった春目部分だけでなく凸部により厚い秋目部分にも樹脂が含浸して、透光度の高い突板層が容易に得られる。
【００２０】
第３の発明では、上記第１又は２の発明に係る透光性化粧材において、上記積層体の内部又は表裏側に、透光性を有する補強層が設けられている。
【００２１】
第４の発明では、上記第３の発明に係る透光性化粧材において、上記補強層は突板層と隠蔽層との間に設けられているものとする。
【００２２】
第５の発明では、上記第３の発明に係る透光性化粧材において、上記補強層は隠蔽層と色柄層との間に設けられているものとする。
【００２３】
第６の発明では、上記第３の発明に係る透光性化粧材において、補強層は色柄層の裏面に設けられているものとする。
【００２４】
第７の発明では、上記第３の発明に係る透光性化粧材において、補強層は隠蔽層からなるものとする。
【００２５】
第８の発明では、上記第３の発明に係る透光性化粧材において、補強層は色柄層からなるものとする。
【００２６】
これら第３〜第８の発明では、積層体の内部又は表裏側に透光性を有する補強層が設けられているので、積層体を所定の強度に保つことができる。そのため、例えば突板層（木質薄単板）の厚さが薄くても、積層体の取扱い性や運搬性を高めることができる。また、突板層表面を浮造り加工する際、補強層がない場合のように、積層体を別の支持体に貼付け支持して浮造りする必要がなく、そのまま製造ラインに流すことができる。
【００２７】
第９の発明では、第３〜第７の発明のいずれか１つに係る透光性化粧材において、突板層から補強層までの層が積層一体化されていることを特徴とする。
【００２８】
この第９の発明では、突板層から補強層までの層とが積層一体化されているので、突板層を常に補強層によって補強することができ、透光性化粧材の取扱い性や運搬性を高め、製造を容易化することができる。
【００２９】
第１０の発明では、第１〜第９の発明のいずれか１つに係る透光性化粧材において、色柄層は、裏面に色柄が反転印刷された紙層からなるものとする。
【００３０】
第１１の発明では、第１０の発明に係る透光性化粧材において、紙層は、一方の面に色柄が他方の面に至らないように反転印刷されることで該一方の面が印刷面とされた紙からなり、該印刷面が裏側になり印刷面と反対側の他方の面が表側になるように配置されている。
【００３１】
これらの第１０及び第１１の発明では、紙層の裏面に色柄を反転印刷するだけで色柄層の色柄が形成されるので、色柄の形成を容易に行うことができる。反転印刷された色柄は、裏面側から光を当てることにより、表面側に所望色柄が表出する。
【００３２】
第１２の発明では、第３の発明に係る透光性化粧材において、補強層は突板層の表面に設けられているものとする。
【００３３】
この第１２の発明でも、積層体を所定の強度に保つことができる。例えば突板層表面を浮造り加工する際、補強層がない場合のように、積層体を別の支持体に貼付け支持して浮造りする必要がなく、そのまま製造ラインに流すことができる。
【００３４】
第１３の発明では、第１２の発明に係る透光性化粧材において、突板層が交換可能であるものとする。
【００３５】
第１４の発明では、第１２の発明に係る透光性化粧材において、色柄層が交換可能であるものとする。
【００３６】
第１５の発明では、第１２の発明に係る透光性化粧材において、突板層及び色柄層が交換可能であるものとする。
【００３７】
これら第１３〜第１５の発明では、透光性化粧材の少なくとも一部の層が他の層に対し交換可能であるので、その層を必要に応じて交換することにより、透光性化粧材表面に現出する突板層の木目柄や色柄層の色柄を容易に変更することができる。
【００３８】
第１６の発明では、第１〜第１５の発明のいずれか１つに係る透光性化粧材において、隠蔽層は液晶層とする。
【００３９】
第１７の発明では、第１〜第１５の発明のいずれか１つに係る透光性化粧材において、隠蔽層は、温度に応じて透光性及び色が変化する感熱性樹脂からなるものとする。
【００４０】
第１８の発明では、第１〜第１５の発明のいずれか１つに係る透光性化粧材において、隠蔽層は、温度に応じて透光性が変化するフェイズチェンジマテリアル（ＰＣＭ）からなるものとする。
【００４１】
これら第１６〜第１８の発明では、発明の効果が有効に発揮される最適な隠蔽層が得られる。
【００４２】
第１９の発明では、第２の発明に係る透光性化粧材において、突板層は、木質薄単板表面の凹部が透明性樹脂により充填されて平滑面とされているものとする。
【００４３】
この第１９の発明では、突板層表面の凹部が透明性樹脂により充填されて平滑面となっているので、表面の平滑な透光性化粧材が得られる。
【発明の効果】
【００４４】
以上説明したように、第１の発明によると、樹脂の含浸によりＷＰＣ処理された透光性を有する木質薄単板からなる突板層と、この突板層の裏面側に配置された隠蔽層と、この隠蔽層の裏面側に配置され、所定の色柄が形成された透光性を有する色柄層とを含む積層体からなる透光性化粧材を設け、隠蔽層は、積層体の裏側からの光がないときに色柄層の色柄を積層体表面から積層体表面に現出しない状態に隠蔽する一方、積層体の裏側からの光があるときには色柄層の色柄を積層体表面に現出させる程度に透光性を有するものとし、裏側からの光で色柄層の色柄が表面側に現出するようにした。このことにより、突板層となる薄単板の厚さを極度に薄くせずとも、その突板層の透光性を高くすることができ、透光性化粧材の裏側からの光がない場合に、色柄層の色柄は積層体表面から隠蔽され、通常の化粧材と同様の木目模様を有する木質の外観模様が得られる一方、透光性化粧材の裏側から光が照射されると、その光により色柄層の色柄が透光性化粧材の表面側に鮮明にかつ明確に木質薄単板表面の木目模様に加えて現出し、よって裏側から光を当てない状態と、光を当てた状態との間で大きな差異のある外観を有し、意匠性の高い透光性化粧材が得られる。
【００４５】
第２の発明によると、突板層は、木質薄単板の表面に浮造り加工により木質薄単板の春目部分を秋目部分よりも深く凹陥した凹凸部が形成されてＷＰＣ処理されたものとしたことにより、木質薄単板の表面において凹部により薄くなった春目部分だけでなく凸部により厚い秋目部分にも樹脂が含浸して、透光度の高い突板層が容易に得られる。
【００４６】
第３の発明では、積層体の内部又は表裏側に、透光性を有する補強層を設けた。第４の発明では、補強層は突板層と隠蔽層との間に設けた。第５の発明では、補強層は隠蔽層と色柄層との間に設けた。第６の発明では、補強層は色柄層の裏面に設けた。第７の発明では、補強層は隠蔽層からなるものとした。第８の発明では、補強層は色柄層からなるものとした。これら第３ないし第８の発明によると、積層体の内部又は表裏側に透光性を有する補強層が設けられているので、積層体を所定の強度に保つことができる。そのため、突板層の厚さが薄くても、積層体の取扱い性や運搬性を高めることができるとともに、突板層表面を浮造り加工する際、補強層がない場合のように、積層体を別の支持体に貼付け支持して浮造りする必要がなく、そのまま製造ラインに流すことができる。
【００４７】
第９の発明によると、突板層から補強層までの層を積層一体化したことにより、突板層を常に補強層によって補強して、透光性化粧材の取扱性の向上や製造の容易化を図ることができる。
【００４８】
第１０の発明では、色柄層としての補強層は、裏面に色柄が反転印刷された紙層からなるものとした。また、第１１の発明では、その紙層は、一方の面である印刷面に色柄が他方の面に至らないように反転印刷された紙からなり、印刷面が裏側になり他方の面が表側になるように配置されているものとした。これら第１０及び第１１の発明によると、紙層の裏面に色柄を反転印刷するだけで色柄層の色柄が形成されるので、色柄の形成を容易に行うことができる。
【００４９】
第１２の発明によると、補強層を突板層の表面に設けたことにより、積層体を所定の強度に保つことができる。
【００５０】
第１３の発明では、突板層を交換可能とした。第１４の発明では、色柄層を交換可能とした。第１５の発明では、突板層及び色柄層を交換可能とした。これら第１３〜第１５の発明によると、透光性化粧材の少なくとも一部の層が交換可能であるので、その層を必要に応じて交換して透光性化粧材表面に現出する突板層の木目柄や色柄層の色柄を容易に変更することができる。
【００５１】
第１６の発明では、隠蔽層は液晶層とした。第１７の発明では、隠蔽層は、温度に応じて温度に応じて透光性及び色が変化する感熱性樹脂からなるものとした。第１８の発明では、隠蔽層は、温度に応じて透光性が変化するフェイズチェンジマテリアル（ＰＣＭ）からなるものとした。これら第１６〜第１８の発明によると、発明の効果が有効に発揮される最適な隠蔽層が得られる。
【００５２】
第１９の発明によると、突板層は、木質薄単板表面の凹部が透明性樹脂により充填されて平滑面としたことにより、表面の平滑な透光性化粧材が得られる。
【図面の簡単な説明】
【００５３】
【図１】図１は本発明の実施形態１に係る透光性化粧材の断面図である。
【図２】図２は透光性化粧材の表面を示す図である。
【図３】図３は透光性化粧材の裏面を示す図である。
【図４】図４は、透光性化粧材の裏側から光を当てたときに色柄が表面に現出した状態を示す図２相当図である。
【図５】図５は透光性化粧材の拡大断面図である。
【図６】図６は実施形態１に係る透光性化粧材の製造工程を示す図である。
【図７】図７は実施形態２に係る透光性化粧材を示す図５相当図である。
【図８】図８は実施形態２に係る透光性化粧材の製造工程を示す図である。
【図９】図９は実施形態３に係る透光性化粧材を示す図５相当図である。
【図１０】図１０は実施形態４に係る透光性化粧材を示す図５相当図である。
【図１１】図１１は実施形態５に係る透光性化粧材を示す図５相当図である。
【図１２】図１２は、透光性化粧材が施工されたドアの正面図である。
【図１３】図１３は図１２のXIII−XIII線拡大断面図である。
【図１４】図１４は、透光性化粧材を光源と組み合わせた発光化粧構造体の例１に係るベッドを示す斜視図である。
【図１５】図１５は、光源が点灯して色柄がヘッドボードの表面に現出した状態を示す図１４相当図である。
【図１６】図１６は図１４のXVI−XVI線断面図である。
【図１７】図１７は発光化粧構造体の要部を拡大して示す断面図である。
【図１８】図１８は発光化粧構造体の例２に係るベッドを示す図１４相当図である。
【図１９】図１９は、光源が点灯して色柄が表面に現出した状態を示す図１８相当図である。
【図２０】図２０は図１８のXX−XX線断面図である。
【図２１】図２１は発光化粧構造体の例３に係るテーブルを示す斜視図である。
【図２２】図２２は図２１のXXII−XXII線拡大断面図である。
【図２３】図２３は、テーブルの天板上面に組み付けられた発光化粧構造体における積層体の表面を示す図である。
【図２４】図２４は発光化粧構造体における積層体の色柄を示す図である。
【図２５】図２５は発光化粧構造体における積層体の断面図である。
【図２６】図２６は、光源の消灯状態及び点灯状態の切換えにより色柄が表面に現出した状態を示す図である。
【図２７】図２７は発光化粧構造体の例４に係るテーブルを示す図２２相当図である。
【図２８】図２８は発光化粧構造体の例５に係る階段を示す側面図である。
【図２９】図２９は階段の要部を拡大して示す断面図である。
【図３０】図３０は、発光化粧構造体の例６に係る部屋の床面、壁面及び天井面を示す斜視図である。
【図３１】図３１は光源が点灯した状態を示す図３０相当図である。
【図３２】図３２は発光化粧構造体の施工構造を示す断面図である。
【図３３】図３３は発光化粧構造体の例７に係る欄間を襖と共に示す図である。
【図３４】図３４は図３３のXXXIV−XXXIV線拡大断面図である。
【発明を実施するための形態】
【００５４】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００５５】
［実施形態１］
図１〜図５は本発明の実施形態１に係る透光性化粧材Ａを示す。この透光性化粧材Ａは、突板層１と、この突板層１の裏面側に配置された隠蔽層５と、この隠蔽層５の裏面側に配置され、所定の色柄７（図３参照）が描かれた色柄層６と、上記突板層１の表面に形成された表面コート層９（図５参照）とを積層して一体化した積層体１１からなる。
【００５６】
（突板層）
上記突板層１は、木質薄単板に樹脂を含浸させるＷＰＣ処理をすることで透明化されて透光性を有するものとなっている。すなわち、図５に拡大して示すように、突板層１は、木質薄単板の表面に浮造り加工を施すことにより、単板の軟らかい春目部分を硬い秋目部分よりも深く凹陥して該春目部分が凹部２ａとなり秋目部分が凸部２ｂとなる凹凸部２が形成されてＷＰＣ処理されたものであり、表面に秋目部分（凸部２ｂ）が春目部分（凹部２ａ）よりも濃色となる木目（木理）の模様（図２では秋目部分を線にて示している）が形成されている。
【００５７】
上記突板層１をなす木質薄単板は天然木の薄単板からなり、樹種は限定されない。例えばオーク、バーチ、ビーチやチェリー等の硬さの硬い樹種や、スギ、ツガ、ヒノキ、サワグルミ等の硬さの軟らかい樹種等が用いられる。
【００５８】
ここで、上記木質薄単板に含浸させる樹脂について詳細に説明する。この樹脂は、例えば含浸樹脂と着色充填樹脂の２つの樹脂を用いる。これらの含浸樹脂及び着色充填樹脂は、共に、活性エネルギー線硬化特性と湿気硬化特性とを兼ね備えている。このため、活性エネルギー線硬化特性のみを有する樹脂と比べると、活性エネルギー線の照射により瞬時に樹脂を硬化させることができる。
【００５９】
両樹脂は、ポリエステルアクリレート、エポキシアクリレート、ウレタンアクリレート、ポリエーテルアクリレート等のオリゴマーやポリマーを単独、又はこれらを複数混合させたものに、反応性モノマーを加えたものを主成分とする。さらに、両樹脂は、主成分に対して、ポリイソシアネートを１質量％以上でかつ１５質量％以下添加されてなる。
【００６０】
両樹脂に用いるオリゴマー、ポリマーおよび反応性モノマーは、活性エネルギー線硬化特性を有する樹脂として一般的に用いられるものでよい。両樹脂に用いる反応性モノマーの例として以下のものが挙げられる。
【００６１】
単官能モノマーの例としては、ラウリルアクリレート、２−エチルヘキシルアクリレート、２−ヒドロキシエチルアクリレート、１，６−ヘキサンジオールモノアクリレート、ジシクロペンタジエンアクリレート、２−ヒドロキシルプロピルアクリレート、フェノキシジエチレングリコールアクリレート、イソボロニルアクリレート、β−カルボキシエチルアクリレート、アクリロイルモルフォリン、２−ヒドロキシエチルアクリロイルホスフェート、テトラヒドロフルフリルアクリレート、Ｎ，Ｎ−ジエチルアミノエチルアクリレート、Ｎ，Ｎ−ジメチルアミノエチルアクリレート、グリシジルアクリレート、ベンジルアクリレート等が挙げられる。
【００６２】
２官能モノマーの例としては、エチレングリコールジメタクリレート、ジエチレングリコールジアクリレート、ジエチレングリコールジメタアクリレート、トリエチレングリコールジアクリレート、トリエチレングリコールジメタアクリレート、ポリエチレングリコールジアクリレート、ポリエチレングリコールジメタアクリレート、ジプロピレングリコールジアクリレート、ジプロピレングリコールジメタアクリレート、トリプロピレングリコールジアクリレート、トリプロピレングリコールジメタアクリレート、ポリプロピレンジアクリレート、ポリプロピレンジメタアクリレート、１，６−ヘキサンジオールジアクリレート、１，４−ブタンジオールジアクリレート、１，４−ブタンジオールジメタアクリレート、ネオペンチルグリコールジアクリレート、ネオペンチルグリコールジメタアクリレート、１，９−ノナンジオールジアクリレート、１，９−ノナンジオールジメタアクリレート等が挙げられる。
【００６３】
３官能モノマーの例として、トリメチロールプロパントリアクリレート、トリメチロールプロパントリメタアクリレート、エトキシ化トリメチロールプロパントリアクリレート、エトキシ化トリメチロールプロパントリメタアクリレート、ペンタエリスリトールトリアクリレート、ペンタエリスリトールトリメタアクリレート、グリセリンプロポキシトリアクリレート等が挙げられる。
【００６４】
４官能以上のモノマーの例としては、ペンタエリスリトールテトラアクリレート、エトキシ化ペンタエリスリトールテトラアクリレート、ポロポキシ化ペンタエリスリトールテトラアクリレート、ジトリメチロールプロパンテトラアクリレート、ジペンタエリスリトールヘキサアクリレート等が挙げられる。
【００６５】
また、両樹脂には、イソシアネート系化合物が添加されることが好ましい。このイソシアネート系化合物は、空気中の湿気を吸収し、両樹脂の湿気硬化に寄与する。このため、両樹脂の木質薄単板への密着性をより向上させることができる。
【００６６】
イソシアネート系化合物の具体例としては、ヘキサメチレンジイソシアネート、イソホロンジイソシアネート、トリレンジイソシアネート、ジフェニルメタンジイソシアネート、キシリレンジイソシアネート、ノルボルネンジイソシアネート等のイソシアネートモノマー、並びにこれらのビウレット体、イソシアヌレート体、トリメチロールプロパンのアダクト体等のポリイソシアネート誘導体、並びにこれらイソシアネートモノマーまたはポリイソシアネート誘導体のブロック体等が挙げられる。さらには、イソシアネート系化合物は、無黄変型または難黄変型のものを用いることが好ましい。これらのイソシアネート系化合物を単独で、又はこれらを複数混合して用いる。
【００６７】
両樹脂には、さらに、一般的に用いられる錫化合物や、亜鉛化合物、アミン化合物等の触媒を添加してもよい。
【００６８】
そして、具体的には、上記の含浸樹脂をブラスト処理された木質薄単板の表面全体に塗布する。含浸樹脂は、スポンジロールコーターやナチュラルリバースコーター、フローコーター等を使用して塗布する。このように、ブラスト処理を施して微細な傷をつけ、含浸性を高くした木質薄単板の表面全体に含浸樹脂を塗布するので、木質薄単板の内部にまで含浸樹脂を浸透させることができる。
【００６９】
含浸樹脂は、低粘度でかつ含浸性の高い樹脂であることが好ましい。具体的には、含浸樹脂は、木質薄単板の表面に塗布されたとき、その粘度が１００Ｐａ・ｓ以下であることが好ましい。このように、含浸樹脂を低粘度のものとすることで、含浸性をより高めることができる。なお、含浸樹脂は、上述したモノマーにより希釈したり加熱したりすることで、上記の粘度となるように調整する。また、例えば、予め木質薄単板の表面の温度が４０°〜５０°となるように木質薄単板を加熱し、この表面の温度よりも１０°〜２０°低い温度にした含浸樹脂を塗布することで、この含浸樹脂の含浸性をより向上させることができる。
【００７０】
含浸樹脂を硬化又は半硬化させるために、木質薄単板の表面側から活性エネルギー線を照射する。活性エネルギー線には紫外線又は電子線が用いられる。
【００７１】
活性エネルギー線が紫外線である場合、含浸樹脂に、光重合開始剤を添加する。光重合開始剤としては、一般的に用いられるラジカル反応型のアセトフェノン系、ベンゾフェノン系、ベンジル系、ベンゾイン系等のカルボニル化合物、テトラアルキルチウラムモノサルファイド、チオキサンソン等のイオウ化合物を単独、またはこれらを複数混合して用いてもよい。しかし、含浸樹脂の硬化を促進するためには、上記一般的な光重合開始剤よりも紫外線に対して反応性に優れたものが好ましい。
【００７２】
具体的には、光重合開始剤として、含浸樹脂は、ビスアシルフォスフィンオキサイドを０．１質量％以上１．５質量％以下含むものか、モノアシルフォスフィンオキサイドを０．５質量％以上５．０質量％以下含むものであることが好ましい。ビスアシルフォスフィンオキサイドまたはモノアシルフォスフィンオキサイドは、紫外線の波長領域が３５０ｎｍ〜４００ｎｍ近辺である長波長に吸収極大がある。したがって、紫外線を発光する光源として、３５０ｎｍ以上４００ｎｍ以下の長波長領域に発光スペクトルを持つ発光方式を用いることにより、含浸樹脂８をより効果的に硬化させることができる。具体的には、放電灯方式のメタルハライドランプ、無電極方式のＤバルブ、Ｖバルブ、Ｑバルブ、Ｍバルブ、パルスＵＶ方式等を使用する。
【００７３】
また、活性エネルギー線が紫外線である場合、含浸樹脂には、増感剤や、光安定剤、紫外線吸収剤、貯蔵安定剤等の助剤を添加してもよい。また、含浸樹脂に染料、顔料等を加えて着色を行ってもよい。
【００７４】
そして、単板の表面に凹凸部２を形成するための浮造り加工は、単板の表面をブラッシングしてもよいが、ショットブラストする方が樹脂の含浸性が高くなり、透明性を向上できて好ましい。
【００７５】
（隠蔽層）
上記隠蔽層５は、積層体１１の裏側から光が照射されていないときに上記色柄層６の色柄７を積層体１１表面から隠蔽する程度に透光性を有しており、上記光が照射されたときには色柄層６の色柄７を積層体１１表面に現出させる。
【００７６】
この隠蔽層５は、例えば紙、プラスチックシート、これらを積層したポリサンド紙等の積層体等のシート状物を用いてもよいし、接着剤で一定厚みの層を形成してもよい。
【００７７】
この他、隠蔽層５としては、液晶層、温度に応じて透光性及び色が変化する感熱性樹脂、温度に応じて透光性が変化するフェイズチェンジマテリアル（ＰＣＭ）を用いることができる。
【００７８】
隠蔽層５を液晶層で構成した場合、その液晶層に対する印加電圧の変更により液晶層の透光性を調整し、色柄層６の隠蔽状態を外部からコントロールすることができる。
【００７９】
また、隠蔽層５を感熱性樹脂とする場合には、例えば裏側に配置された発熱する光源等の隠蔽層５に対する加熱を利用し、その加熱により感熱性樹脂の温度が例えば２５〜５０℃の所定の温度に昇温することで、その感熱性樹脂の透光性（透明度）が高くなり、色も薄くなり、色柄層６の色柄７が表出するようにすればよい。
【００８０】
さらに、隠蔽層５をフェイズチェンジマテリアルとした場合、やはり裏側に配置された光源等による加熱によりＰＣＭの温度が例えば２５〜５０℃に昇温することで、ＰＣＭが融点に達して固体が液体に変わることで、その透光性（透明度）が高くなるようにする。ＰＣＭとは、例えばｎ−オクタデカン、ｎ−ヘキサデカンが主原料のノルマルパラフィンが用いられる。このノルマルパラフィンは、融点が２３〜２８℃のもので、基本的に融点よりも低い温度で固体となり、融点よりも高い温度で液体となる。この潜熱蓄熱材としてのノルマルパラフィンは例えばビニルパック等の透明容器に封入されたものや、透明の樹脂殻に封入されたマイクロカプセル状のものが樹脂と混合され、シート状に成形されたもの等が好適に使用される。
【００８１】
ノルマルパラフィン以外の潜熱蓄熱材としては、無機水和塩（塩化カルシウム六水和塩、硫酸ナトリウム十水和塩等）、脂肪酸類（パルミチン酸、ミリスチン酸等）、芳香族炭化水素化合物（ベンゼン、ｐ−キシレン等）、エステル化合物（パルミチン酸イソプロピル、ステアリン酸ブチル等）、アルコール類（ステアリルアルコール等）、ポリアルキレングリコール等を使用することができ、内部に配した光源の発する温度により、適宜選択すればよい。
【００８２】
接着剤で一定厚みの隠蔽層５を形成する方法としては、基材表面に所定厚み（１０〜２００μｍ、好ましくは３０μｍ〜７５μｍ）の接着剤を塗布し、紫外線照射や熱硬化等の手段により半硬化させて、所定厚みを確保した上で表面単板を載置し、熱圧や冷圧等の手段により積層一体化する方法が好適に行われる。
【００８３】
このとき、接着層を隠蔽層５とするために、接着剤自体に染料系着色剤を用いて着色を施してもよい。また、接着剤自体を透明とし、顔料系の着色剤を添加してもよい。さらに、着色剤に替えて感温性樹脂やマイクロカプセル化されたＰＣＭ材料を使用してもよい。
【００８４】
（色柄層）
色柄層６は、例えば紙、樹脂シート等からなる。色柄層６は透光性を有し、この色柄層６には所定の色柄７が形成されている。この色柄７は写真や字、その他の所望のものが用いられる。色柄層６の色柄７は絵柄のみ、色のみ、或いは色と絵柄とを組み合わせたものであってもよい。
【００８５】
具体的には、この色柄層６として紙を用いる場合、図３に示すように、その紙の裏面に色柄７（図示例では「富士山」の漢字及びその写真）が反転印刷されている。すなわち、色柄層６としての紙層は、一方の面に色柄７がインクの透過等により他方の面に至らないように反転印刷されることで該一方の面が印刷面とされた紙からなり、該印刷面が裏側になり印刷面と反対側の他方の何も印刷されていない面が表側になるように配置されている。この場合、色柄層６に形成された色柄７は、裏面側からの光の透過により、鏡反転された態様で表面に色柄が透過される。
【００８６】
尚、この色柄層６は、必ずしも色柄７を反転させる必要はなく、表面側に向けて色柄７を形成する場合には反転されていないそのままの色柄７が用いられる。この場合、色柄層６に形成された色柄７は、裏面側からの光の透過により、印刷された態様のままで表面に色柄が透過される。
【００８７】
その他の例として、色柄層６は、例えば紙、樹脂シート、ガラス等からなり、色柄層６と隠蔽層５を積層一体に設けてもよいし、色柄層６と後述する補強層１６を積層一体に設けてもよいし、色柄層６と隠蔽層５と補強層１６とを別に設けてもよい。
【００８８】
例えば色柄層６と隠蔽層５を積層一体に設ける場合、表面にインク受容層を設けた紙を使用し、インク受容層にインクジェット印刷を行ってもよい。この場合、所定厚みを有する紙を使用し、裏面側にインクが透過しないようにインクジェット印刷することでインクが透過していない層を隠蔽層５としてもよい。
【００８９】
また、２枚の紙の間に樹脂シートを熱圧一体化したいわゆるポリサンド紙等の片面に色柄７を印刷し、印刷した方の紙層を色柄層６、印刷していない方の紙層を隠蔽層５としてもよい。この場合、裏面側にインクが透過していく恐れがないので、安定した品質の隠蔽性能を実現することができる。
【００９０】
また、例えば色柄層６と隠蔽層５を積層一体に設ける場合、透光性を有するガラスやアクリル樹脂をステンドグラス様に配したり、ガラス表面に直接色柄７を印刷等により設けてもよい。
【００９１】
（表面コート層）
表面コート層９は、浮造り加工が施された突板層１の表面に形成されている。この表面コート層９は、例えばアクリル系透明樹脂塗料やウレタン系透明樹脂塗料等からなる。
【００９２】
そして、透光性化粧材Ａは、図２に示すように、その裏側（積層体１１の裏側）から光源等の光が当てられていないときには、色柄層６の色柄７が隠蔽層５により隠蔽されて、透光性を有する木質薄単板表面の木目模様がそのまま露出する一方、図４に示すように、透光性化粧材Ａの裏側から光源等の光を当てたときに、その光で色柄層６の色柄７が、透光性化粧材Ａの表面側に突板層１（木質薄単板）表面の木目模様に加えて現出するようになっている。
【００９３】
（透光性化粧材の製造方法）
次に、上記裏側からの光で色柄７が表面側に現出する透光性化粧材Ａの製造方法の一例について図６に基づき説明する。まず、紙吸着工程において、図６（ａ）に示すように、表面の吸着層１４ａにより吸着性を有する板状の基材１４の表面に、色柄７が形成されて色柄層６となる紙等を吸着させる。上記吸着層１４ａは、「ＡＬシート」（ゼオン化成社製の商品名）等が用いられる。また離型層を有したフィルムへ接着を行い、最終工程において剥離させることもできる。基材１４は、例えば「ダイセルバリューコーティングＴ７８９」（ダイセルバリューコーティング社製の商品名）等が用いられる。
【００９４】
次いで、積層工程において、図６（ｂ）に示すように、上記色柄層６（紙）の表面に顔料系着色剤を混合させた接着剤を塗布し、半硬化させた後、その上に木質薄単板を貼着し、これらを積層一体化して積層体１１を形成する。このことで、紙が色柄層６となり、接着剤が隠蔽層５となり、木質薄単板が突板層１となる。
【００９５】
次の凹凸形成工程では、図６（ｃ）に示すように、上記突板層１（木質薄単板）の表面をショットブラスト加工して、該表面に木質薄単板の春目部分が秋目部分よりも深く凹陥した、凹部２ａ及び凸部２ｂからなる凹凸部２を形成する。ブラスト処理は、微細な粒子である硬質のブラスト用研磨材を突板層１（木質薄単板）の表面に衝突させて、春目部分及び秋目部分の表面に微細な傷を付ける手法である。
【００９６】
その際、突板層１、隠蔽層５及び色柄層６からなる積層体１１の色柄層６の裏側に基材１４が設けられ、その基材１４に突板層１が支持されているので、突板層１が厚さの薄い木質薄単板であっても、この基材１４により積層体１１の強度が所定の強度に保たれる。そのため、上記突板層１の表面をショットブラストにより浮造り加工する際、そのまま製造ラインに流すことができる。
【００９７】
このショットブラスト加工で用いるブラスト用研磨材は、例えばガラスビーズ、ガラスパウダー、ケイ素質等の無機質粒子、アルミナ質等の金属粒子、胡桃や桃の種を細かく砕いた硬質有機粒子、あるいはドライアイスを細かく粉砕したドライアイス粒子等が用いられる。
【００９８】
また、このブラスト用研磨材の粒径は、９０μｍ以上でかつ１５０μｍ以下となるようにふるい法により調整されたものであることが好ましい。これにより、ブラスト処理によって木質薄単板の表面に微細な傷を付けることができるとともに、上記した含浸樹脂が浸透していきやすい傷の大きさとすることができる。
【００９９】
ふるい法では、３段〜５段程度でふるい分けを行う。１段目のふるいの目開きの径を約１８０μｍ、２段目のふるいの目開きの径を約１５０μｍ、最終段のふるい目の目開きの径を約９０μｍに設定する。このことで、９０μｍ以上でかつ１５０μｍ以下の粒径のブラスト用研磨材が全体の約７０％以上含まれるように調整されている。これ以外には、研磨材が扁平形状や鋭角な形状であるものや、ふるいきれなかった、粒径が９０μｍ以下の研磨材が含まれている。
【０１００】
このように調整されたブラスト用研磨材を上記浮造り加工された木質薄単板の表面に衝突させる。ブラスト用研磨材は、ノズルから自然落下させてもよいし、圧力を加えてノズルから噴射させてもよい。ノズルは、木質薄単板の表面上方の任意の位置に、複数本配置し、木質薄単板の表面全体にブラスト処理が施されるようにする。
【０１０１】
一般に、浮造り加工（表面の凹凸加工）をする場合には、ショットブラストの他に、ブラッシングにより削り取る方法もあるが、このブラッシングにより浮造り加工をすると、木材の導管が目詰まりし易く、後の樹脂含浸工程で樹脂の含浸性が低下して透明化が不十分となるので、表面に色柄を透過させるためには、木質単板層をできる限り薄く削り取る必要があり、生産性に劣るとともに、スギ、ツガ、ヒノキやサワグルミ等の硬さの軟らかい樹種を用いる場合は、春目や秋目に関係なく均一に削れてしまうため、材料選択の幅が小さくなる。このため、ショットブラストによる浮造り加工が好ましい。
【０１０２】
この後、樹脂含浸工程において、図６（ｄ）に示すように、突板層１にその凹凸部２が形成された表面から樹脂を含浸させた後に硬化させることで、突板層１（木質薄単板）の特に春目部分をＷＰＣ処理して透明化し、その突板層１を透光性を有するものとする。
【０１０３】
次のコーティング処理工程では、図６（ｅ）に示すように、上記突板層１表面の凹凸部２をコーティング処理して表面コート層９を形成する。
【０１０４】
最後の基材剥離工程では、図６（ｆ）に示すように、上記基材１４をその表面の吸着層１４ａにおいて、他の部分、すなわち色柄層６（紙）、隠蔽層５（接着剤）、突板層１（木質薄単板）及び表面コート層９と分離除去する。
【０１０５】
以上により、突板層１、隠蔽層５及び色柄層６が積層一体化され、その突板層１表面に表面コート層９が形成された図５に示す透光性化粧材Ａが得られる。
【０１０６】
この実施形態に係る透光性化粧材Ａは、木質薄単板に樹脂を含浸させるＷＰＣ処理をすることで透明化されて透光性を有する突板層１と、この突板層１の裏面側に配置された隠蔽層５と、この隠蔽層５の裏面側に配置された色柄層６と、突板層１の表面に形成された表面コート層９とを積層して一体した積層体１１からなっている。上記隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有しているので、図２に示すように、透光性化粧材Ａの裏側（積層体１１の裏側）から光源等の光が当てられていないときには、最も裏側にある色柄層６の色柄７は、その色柄層６よりも表側に位置する隠蔽層５により隠蔽され、その色柄７が透光性化粧材Ａの突板層１（木質薄単板）表面に現出することはなく、突板層１表面の木目模様がそのまま露出する。このことで、通常の化粧材と同様の木目模様を有する木質の外観模様が得られる。
【０１０７】
これに対し、透光性化粧材Ａの裏側から光源等の光を当てたときには、図４に示すように、その光により色柄層６の色柄７が、透光性を有する隠蔽層５と透光性を有する突板層１（木質薄単板）とを経て、該突板層１の表面に現出する。このことで、その色柄層６の色柄７が透光性化粧材Ａの表面側に木質薄単板表面の木目模様に加えて浮き上がるように鮮明に現出する。すなわち、木目模様中に色柄７が、木目の色の薄くかつショットブラストによる研削により凹部２ａとなって薄くなった春目部分（春材、早材）で強く現出し、木目の色の濃くかつショットブラストによる研削により凸部２ｂとなって厚く残った秋目部分（秋材、晩材）で弱く現出するような外観を呈する。
【０１０８】
したがって、この実施形態においては、透光性化粧材Ａは、裏側から光を当てない状態と、光を当てた状態との間で大きな差異のある外観が得られ、その意匠性を高めることができる。
【０１０９】
また、突板層１は、木質薄単板の表面に浮造り加工を施すことにより単板の春目部分を秋目部分よりも深く凹陥した凹凸部２が形成されてＷＰＣ処理されたものであるので、その木質薄単板の薄くなった春目部分は、樹脂含浸により透明化されているだけでなく、それよりも厚くて固い秋目部分にもショットブラスト処理により表面の濡れ性が向上し、樹脂の含浸性が高まり、突板層１の透明性を高めることができ、上記鮮明な色柄が現出する意匠性のある透光性化粧材Ａに好適な突板層１が容易に得られる。
【０１１０】
［実施形態２］
図７は実施形態２に係る透光性化粧材Ａを示し（尚、以下の各実施形態では図１〜図６と同様の部分について同じ符号を付して説明する）、補強層を加えたものである。
【０１１１】
すなわち、この実施形態２では、実施形態１と同様に、透光性化粧材Ａは、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含む積層体１１からなり、上記隠蔽層５は、積層体１１の裏側からの光がないときに上記色柄層６の色柄７を積層体１１表面から隠蔽する一方、積層体１１の裏側からの光があるときには色柄層６の色柄７を積層体１１表面に現出させる程度に透光性を有しており、透光性化粧材Ａは、裏側からの光で上記色柄層６の色柄７が表面側に現出するように構成されている。
【０１１２】
そして、この実施形態では、積層体１１の内部に、透光性を有する補強層１６が設けられている。具体的には、補強層１６は上記隠蔽層５と色柄層６との間（隠蔽層５の裏面側でかつ色柄層６の表面側）に設けられている。
【０１１３】
この補強層１６は、主として薄単板からなる突板層１を補強するためのものであり、例えばアクリル樹脂や塩ビ樹脂等の透明性樹脂板、ガラス等からなる。その他、透光性を有する板状体であれば、どのようなものでもよい。
【０１１４】
（透光性化粧材の製造方法）
次に、この実施形態に係る透光性化粧材Ａの製造方法について図８に基づき説明する。まず、図８（ａ）に示すように、木質薄単板からなる突板層１と、この突板層１の裏面側に配置された隠蔽層５と、この隠蔽層５の裏面側に配置された補強層１６と、この補強層１６の裏面側に配置され、所定の色柄７が形成された色柄層６とを積層一体化して積層体１１を形成する（積層体形成工程）。
【０１１５】
次に、図８（ｂ）に示すように、上記積層体１１の突板層１の表面をショットブラスト加工して、該表面に単板の春目部分が秋目部分よりも深く凹陥した凹凸部２を形成する（凹凸形成工程）。
【０１１６】
その際、積層体１１の裏側に補強層１６が設けられているので、この補強層１６により積層体１１の強度が所定の強度に保たれる。そのため、上記突板層１の表面をショットブラストにより浮造り加工する際、補強層１６がない実施形態１の場合のように、積層体１１を別の支持体（例えば実施形態１の基材１４）に貼り付けて支持する必要がなく、そのまま製造ラインに流すことができる。
【０１１７】
さらに、図８（ｃ）に示すように、上記突板層１に凹凸部２が形成された表面から樹脂を含浸させて突板層１をＷＰＣ処理することで突板層１に樹脂を含浸させ透光性を有するものとする（樹脂含浸工程）。
【０１１８】
最後に、図８（ｄ）に示すように、上記突板層１表面の凹凸部２をコーティング処理する（コーティング処理工程）。
【０１１９】
以上により、突板層１、隠蔽層５、補強層１６及び色柄層６が積層一体化され、その突板層１表面に表面コート層９が形成された図７に示す透光性化粧材Ａが得られる。
【０１２０】
したがって、この実施形態においても、実施形態１と同様の作用効果が得られる。特に、この実施形態の場合、積層体１１内に補強層１６が設けられているので、この補強層１６により積層体１１を所定の強度に保つことができ、透光性化粧材Ａの製造時及び使用時の取扱い性や運搬性が高くなる。
【０１２１】
［実施形態３］
図９は実施形態３を示し、補強層１６の位置を変えたものである。上記実施形態２では、補強層１６が隠蔽層５と色柄層６との間に設けられているのに対し、この実施形態では、補強層１６は突板層１と隠蔽層５との間（突板層１の裏面側でかつ隠蔽層５の表面側）に設けられている。他の構成は実施形態２と同じである。この実施形態でも、実施形態２と同様の作用効果が得られる。
【０１２２】
［実施形態４］
図１０は実施形態４を示す。上記実施形態２及び３では、補強層１６が積層体１１の内部に設けられているのに対し、この実施形態４では、透光性を有する補強層１６を積層体１１の裏側に設けたものである。他の構成は実施形態２と同じである。この実施形態でも、実施形態２と同様の作用効果が得られる。
【０１２３】
尚、この実施形態４とは異なり、補強層１６を突板層１の表側に設けてもよい。その場合、積層体１１における突板層１を交換可能としてもよく、突板層１のみを交換して、該突板層１の木目の柄を他のものに変更することができる。
【０１２４】
また、色柄層６を交換可能としてもよく、色柄層６のみを交換して、該色柄層６の色柄７を他のものに変更することができる。
【０１２５】
さらには、突板層１ないし色柄層６を交換可能とすることもできる。こうすれば、突板層１及び色柄層６を同時に交換して、該突板層１の木目の柄及び色柄層６の色柄７を他のものに変更することができる。
【０１２６】
補強層を積層体１１の表面に設けることもできる。その場合、積層体１１の突板層１、色柄層６、又は突板層１ないし色柄層６を交換可能とすることもできる。
【０１２７】
［実施形態５］
図１１は実施形態５を示す。この実施形態では、透光性化粧材Ａは、上記実施形態２（図７参照）と同様に、突板層１、隠蔽層５、補強層１６及び色柄層６が積層一体化されている。そして、実施形態２とは異なり、その突板層１は、木質薄単板表面の凹部２ａが透明性樹脂１７により充填されて平滑面とされ、その上に表面コート層９が形成されている。その他の構成は上記実施形態２（図７参照）と同様である。
【０１２８】
この実施形態の透光性化粧材Ａを製造する場合、積層体形成工程、凹凸形成工程及び樹脂含浸工程までは実施形態２（図８（ａ）〜図８（ｃ）参照）と同じである。その後、上記突板層１表面の凹部２ａに透明性樹脂１７を充填して突板層１表面を平滑面にし、しかる後にその平滑な表面をコーティング処理して表面コート層９を形成する。
【０１２９】
以上により、突板層１、隠蔽層５、補強層１６及び色柄層６が積層一体化され、その突板層１の平滑表面に表面コート層９が形成された図１１に示す透光性化粧材Ａが得られる。
【０１３０】
尚、上記実施形態２〜５では、補強層１６を積層体１１とは別に設けているが、補強層１６を隠蔽層５又は色柄層６の少なくとも一方で構成してもよい。
【０１３１】
［透光性化粧材の施工例］
図１２及び図１３は上記透光性化粧材Ａの施工例を示し、玄関用又は内装用の木質ドア等に適用したものである。すなわち、図１２において、２１はドアで、このドア２１は縦長の左右のドアパネル２２，２２間に縦長の透光性化粧材Ａを一体的に組み付けて固定したものであり、左右のドアパネル２２，２２及び透光性化粧材Ａは互いに同じ高さとされている。左右のドアパネル２２，２２は木質材料からなり、両ドアパネル２２，２２の対向縁部にはそれぞれ納め部材としてのモール２３，２３が固定され、これらモール２３，２３間に透光性化粧材Ａが組み付けられている。図１２中、２５はドア２１を開閉操作するためのハンドルである。
【０１３２】
図１３に示すように、上記モール２３，２３間には、室外側に位置するパネル材２４が固定され、このパネル材２４の室内側に透光性化粧材Ａが配置されている。上記パネル材２４は、例えばスリガラス等、透光性はあるが透光性化粧材Ａの積層体１１における色柄層６の色柄７の透けない材料で構成されている。
【０１３３】
透光性化粧材Ａは、積層体１１と、その裏側に配置された補強層１６とを有する。補強層１６は、例えば透明アクリル樹脂板や透明塩ビシート等からなり、積層体１１とパネル材２４との間に介在されている。
【０１３４】
積層体１１は、上記各実施形態で説明したものと同様に、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含んでいる。その隠蔽層５は、積層体１１の裏側からの光（例えば太陽光や室外の電灯光）がないときに色柄層６の色柄７を積層体１１表面から隠蔽する一方、積層体１１の裏側からの光があるときには色柄層６の色柄７を積層体１１表面に現出させる程度に透光性を有している。
【０１３５】
この実施形態においては、例えば夜間等で室外からの太陽光、或いは室外の電灯光がないときには、ドア２１の透光性化粧材Ａの積層体１１における色柄層６の色柄７は、その色柄層６よりも表側に位置する隠蔽層５により隠蔽され、その色柄７が突板層１（木質薄単板）表面に現出することはなく、突板層１表面の木目模様がそのまま露出する。このことで、室内側において、ドア２１は突板層１表面に木目模様のみが現れ、通常の木質の外観模様が得られる。
【０１３６】
これに対し、例えば日中等で室外からの太陽光、或いは夜間等で室外の電灯光があるときには、その光が透光性を有するパネル材２４及び補強層１６を介して積層体１１に裏側から照射される。この光により色柄層６の色柄７が、透光性を有する隠蔽層５及び透光性を有する突板層１（木質薄単板）を経て、該突板層１の表面に現出する。このことで、その色柄層６の色柄７が突板層１表面の木目模様に加えて現出して、木目模様中に色柄７が浮き上がったような外観を呈し、光源の消灯時（日中）とは異なる表情を演出することができる。
【０１３７】
したがって、この実施形態においては、ドア２１の一部に、室外からの光が裏側から当てられない状態と、光が裏側から当てられた状態との間で大きな差異のある外観が得られ、その意匠性を高めることができる。
【０１３８】
［発光化粧構造体の例１］
図１４〜図１７は、上記透光性化粧材Ａの積層体１１を光源と組み合わせて発光化粧構造体を構成し、その発光化粧構造体をベッドのヘッドボードに組み付けて固定したものである。
【０１３９】
すなわち、図１４において、２７はベッドで、このベッド２７は、前側（頭側）のヘッドボード２８と後側（足側）のフットボード３７とを左右のサイドレール３８，３８（一方のみを図示する）で連結して矩形枠状にし、左右のサイドレール３８，３８間に複数の板状のスノコ（図示せず）を掛け渡し、そのスノコの上にマットレス３９を載置した一般的な構造のものとされている。
【０１４０】
そして、上記ヘッドボード２８は、図１６及び図１７に示すように、ヘッドボード本体２９と、その後側面（フットボード３７と対向する面）に組み付けられた発光化粧構造体Ｂとを備えている。
【０１４１】
上記ヘッドボード本体２９の後面には、そのマットレス３９よりも上側部分に、ヘッドボード本体２９の後面を矩形状に凹陥してなる第１凹部３０と、その第１凹部３０の底面中央部を部分的に矩形状に凹陥してなる第２凹部３１とが段差状に形成されている。
【０１４２】
上記発光化粧構造体Ｂは、樹脂が含浸されてＷＰＣ処理されることで透光性を有する木質薄単板からなる突板層１と、この突板層１の裏面側に配置された隠蔽層５と、この隠蔽層５の裏面側に配置された補強層１６と、この補強層１６の裏面側に配置され、所定の色柄７が形成された色柄層６とを含む積層体１１を備え、これら突板層１、隠蔽層５、補強層１６及び色柄層６は積層されて一体化されている。
【０１４３】
上記突板層１、隠蔽層５、補強層１６及び色柄層６は、上記実施形態２（図７参照）と同様のものであり、突板層１は、木質薄単板の表面に浮造り加工により単板の春目部分を秋目部分よりも深く凹陥した凹凸部２が形成されかつ樹脂が含浸されてＷＰＣ処理されることで透光性を有する木質薄単板からなる。また、隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有している。これら突板層１及び隠蔽層５は、ヘッドボード２８の全体又は少なくともマットレス３９よりも上側部分と同じ大きさであり、ヘッドボード本体２９の後面に該後面を覆うように一体的に固定されて、ヘッドボード２８の後面を構成している。補強層１６及び色柄層６は突板層１及び隠蔽層５よりも小さく、ヘッドボード本体２９の第１凹部３０に嵌挿可能（必要に応じて取換え可能）な大きさとされている。色柄層６の構造は、上記実施形態２（図７参照）と同じであり、紙層の裏面に色柄７が反転印刷されている。尚、図示例では、紙層の中央に「富士山」の漢字及びその写真が印刷されているが、その他、家族や風景の写真を印刷したものでも、イラスト、キャラクター及び抽象柄等でもよく、ベッド２７から観る色柄７として好ましいものであれば、どのようなものでもよい。
【０１４４】
ヘッドボード本体２９後面の第１凹部３０内には、その第１凹部３０の大きさに対応する上記補強層１６及び色柄層６が嵌挿されている。また、上記積層体１１の裏側に位置する第２凹部３１の底面には、上記色柄層６の色柄７を積層体１１表面側に現出させるための光源４１が取り付けられている。この光源４１は、取付ボード４２上に並べられた状態で固定された複数の発光部４３，４３，…を有し、各発光部４３は例えばＬＥＤ（発光ダイオード）、電球、蛍光灯、面発光体（有機ＥＬシート）等からなっている。第２凹部３１内の空間は、光源４１を収容する光源収容部４８を構成しており、この光源収容部４８は、表側の積層体１１以外の部分では光に対して密閉されて光漏れのない構造で、表側の積層体１１のみから透光可能とされている。図１４及び図１５中、４５はベッド２７のヘッドボード２８上面に取り付けられたスイッチで、上記光源４１の点灯及び消灯を切り換えるものである。
【０１４５】
この例においては、スイッチ４９をオフにして光源４１を消灯状態にしているときには、図１４に示すように、発光化粧構造体Ｂの色柄層６の色柄７は、その色柄層６よりも表側に位置する隠蔽層５により隠蔽され、その色柄７が積層体１１の突板層１（木質薄単板）表面に現出することはなく、突板層１表面の木目模様がそのまま露出する。このことで、通常の木質の外観模様を呈するヘッドボード２８を有するベッド２７が得られる。
【０１４６】
その際、光源４１を収容する光源収容部４８が表側の積層体１１のみから透光可能で他の部分では光に対して密閉されているので、光源４１が点灯していない状態で、積層体１１の隠蔽層５よりも裏側にある部分（色柄層６も含む）が積層体１１表面から確実に見え難くなる（光源４１の点灯によって初めて色柄層６の色柄７が積層体１１表面に現出する）。
【０１４７】
これに対し、スイッチ４９をオン操作して光源４１を点灯させると、その光源４１からの光が積層体１１に裏側から照射される。このときには、図１５に示すように、その光により色柄層６の色柄７が、透光性を有する隠蔽層５、透光性を有する補強層１６、及び透光性を有する突板層１（木質薄単板）を経て、該突板層１の表面に鮮明に現出する。このことで、その色柄層６の色柄７が積層体１１の表面側に木質薄単板表面の木目模様に加えて現出して、木目模様中に色柄７が浮き上がったような外観を呈する。すなわち、光源４１の消灯状態では、表面木目模様のベッド２７が光源４１の点灯に伴い色柄７が現出するようになり、雰囲気を大きく変化させることができる。
【０１４８】
したがって、この例においても、ベッド２７のヘッドボード２８に、光源４１が消灯されて該光源４１からの光が裏側から当てられない状態と、光源４１の点灯光が裏側から当てられた状態との間で大きな差異のある外観が得られ、その意匠性を高めることができる。
【０１４９】
［発光化粧構造体の例２］
図１８〜図２０は発光化粧構造体の例２を示し、上記例１では、発光化粧構造体Ｂをベッド２７のヘッドボード２８に取換え不能に組み付けているのに対し、この例では、発光化粧構造体Ｂを取換え可能に組み付けたものである。
【０１５０】
すなわち、この例２では、ベッド２７におけるヘッドボード２８のヘッドボード本体２９の後側面（フットボード３７と対向する面）に発光化粧構造体Ｂが交換可能に組み付けられている。
【０１５１】
具体的には、ヘッドボード本体２９の後面には、そのマットレス３９よりも上側の上下中間部分に、ヘッドボード本体２９の後面を左右端間に亘り断面矩形状に凹陥してなる凹溝部３２が形成されている。また、ヘッドボード本体２９の後面は上記凹溝部３２の開口の上下角部が凹陥されていて、その凹陥部分に、凹溝部３２の開口のみを覆うように透明アクリル板や透明塩ビシート等からなる透明の透明板３３が嵌合されて固定されており、この透明板３３により開口が覆われた凹溝部３２はヘッドボード本体２９の左右端面で開口している。
【０１５２】
発光化粧構造体Ｂは、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含む積層体１１を備え、この色柄層６の裏面側に補強層１６が配置されている。
【０１５３】
上記突板層１、隠蔽層５、色柄層６及び補強層１６は、上記実施形態４（図１０参照）と同様のものであり、突板層１は、木質薄単板の表面に浮造り加工により単板の春目部分を秋目部分よりも深く凹陥した凹凸部２が形成されかつ樹脂が含浸されてＷＰＣ処理されることで透光性を有する木質薄単板からなる。また、隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有している。色柄層６の構造は、上記実施形態１（図５参照）と同じであり、紙層の裏面に色柄７が反転印刷されている。尚、図示例では、紙層の中央に「富士山」の漢字及びその写真が印刷されているが、その他、家族や風景の写真を印刷したものでもよく、ベッド２７から観る色柄７として好ましいものであれば、どのような色柄でもよい。補強層１６は透明アクリル板、透明塩ビシート等からなり、積層体１１とは別体に設けられている。これら突板層１、隠蔽層５、色柄層６及び補強層１６はいずれも同じ大きさで、上記ヘッドボード本体２９の凹溝部３２内に嵌挿可能とされている。
【０１５４】
ヘッドボード本体２９後面の凹溝部３２内には、その凹溝部３２の溝幅に対応する大きさの上記積層体１１（突板層１、隠蔽層５、色柄層６及び補強層１６）がヘッドボード本体２９の左右端面の開口を通して着脱可能に嵌挿されている。この積層体１１の凹溝部３２内への嵌挿状態では、裏面のアクリル板等からなる補強層１６と上記透明板３３との間に積層体１１の突板層１、隠蔽層５及び色柄層６が挟み込まれて固定されるようになっている。
【０１５５】
さらに、積層体１１の裏側である、凹溝部３２の底面には、上記色柄層６の色柄７を積層体１１表面側に現出させるための光源４１が取り付けられている。この光源４１は上記発光化粧構造体の例１と同様のもので、取付ボード４２上に並べられて固定されたＬＥＤ（発光ダイオード）等からな複数の発光部４３，４３，…を有する。凹溝部３２内の空間は、光源４１を収容する光源収容部４８を構成しており、この光源収容部４８は、表側の積層体１１以外の部分では光に対して密閉されて光漏れのない構造で、表側の積層体１１のみから透光可能とされている。上記光源４１は、ヘッドボード２８上面に取り付けたスイッチ４９により点灯及び消灯が切り換えられる。
【０１５６】
この例においては、スイッチ４９をオフにして光源４１を消灯状態にしているときには、図１８に示すように、発光化粧構造体Ｂの色柄層６の色柄７は、その色柄層６よりも表側に位置する隠蔽層５により隠蔽され、その色柄７が積層体１１の突板層１（木質薄単板）表面に現出することはなく、突板層１表面の木目模様がそのまま露出する。このことで、通常の木質の外観模様を呈するヘッドボード２８を有するベッド２７が得られる。
【０１５７】
これに対し、スイッチ４９をオン操作して光源４１を点灯させると、その光源４１からの光が補強層１６及び積層体１１に裏側から照射される。このときには、図１９に示すように、その光により色柄層６の色柄７が、補強層１６、透光性を有する隠蔽層５及び透光性を有する突板層１（木質薄単板）を経て、該突板層１の表面に鮮明に現出する。このことで、その色柄層６の色柄７が積層体１１の表面側に木質薄単板表面の木目模様に加えて現出して、木目模様中に色柄７が浮き上がったような外観を呈する。
【０１５８】
そして、積層体１１における突板層１の木目柄や色柄層６の色柄７を変える場合には、積層体１１を補強層１６と共に凹溝部３２から、そのヘッドボード本体２９左右端の開口を通して引き出し、新しい木目柄の突板層１や色柄７が形成された色柄層６を補強層１６と共に上記とは逆にヘッドボード本体２９左右端の開口から凹溝部３２内に嵌挿すればよい。
【０１５９】
したがって、この例においても、ベッド２７のヘッドボード２８に、光源４１が消灯されて該光源４１からの光が裏側から当てられない状態と、光源４１の点灯光が裏側から当てられた状態との間で大きな差異のある外観が得られ、その意匠性を高めることができる。
【０１６０】
また、ヘッドボード２８に対し積層体１１の突板層１又は色柄層６が交換可能であるので、必要に応じて突板層１の木目や色柄７を別のものに取り換えることができ、ベッド２７の雰囲気を自由に変えることができる。
【０１６１】
尚、積層体１１の突板層１又は色柄層６の少なくとも一方を交換できるように他の層と別体にすることもできる。
【０１６２】
また、上記実施形態１及び２では、ベッド２７のヘッドボード２８に発光化粧構造体Ｂを設けているが、フットボード３７に設けてもよく、ヘッドボード２８及びフットボード３７の双方に設けてもよい。
【０１６３】
［発光化粧構造体の例３］
図２１〜図２６は発光化粧構造体の例３を示し、テーブルの天板に設けたものである。
【０１６４】
すなわち、図２１において、５１はテーブルであって、このテーブル５１は、床面に載置される基台５２と、この基台５２に立設された脚部５３と、この脚部の上端に固定された天板５４とを備えている。
【０１６５】
上記天板５４は、図２２に示すように、矩形状の天板本体５５と、その上面に組み付けられた発光化粧構造体Ｂとを備えている。この発光化粧構造体Ｂは、図２３〜図２５に示すように、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含む積層体１１を備え、これら突板層１、隠蔽層５及び色柄層６は積層されて一体化されている。図２３は積層体１１（突板層１）の表面を、また図２４は積層体１１（色柄層６）の裏面をそれぞれ示している。
【０１６６】
上記突板層１、隠蔽層５及び色柄層６は、上記実施形態１（図５参照）と同様のものであり、突板層１は、木質薄単板の表面に浮造り加工により単板の春目部分を秋目部分よりも深く凹陥した凹凸部２が形成されかつ樹脂が含浸されてＷＰＣ処理されることで透光性を有する木質薄単板からなる。また、隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有している。
【０１６７】
天板本体５５の上面には、例えばその長さ方向の中間部分に、天板本体５５の上面を幅方向の端部間に亘り断面矩形状に凹陥してなる第１凹溝部５６と、その第１凹溝部５６の底面中央部を断面矩形状に凹陥してなる第２凹溝部５７とが段差状に形成されている。また、天板本体５５の上面は上記第１凹溝部５６の開口の両角部が凹陥されていて、その凹陥部分に、第１凹溝部５６の開口のみを覆うようにアクリル板等からなる透明板５８が嵌合されて固定されており、この透明板５８により開口が覆われた第１凹溝部５６とその底面の第２凹溝部５７とはいずれも天板本体５５の幅方向の端面で開口している。
【０１６８】
上記第１凹溝部５６内には、その第１凹溝部５６の溝幅に対応する大きさの上記積層体１１（突板層１、隠蔽層５及び色柄層６）が着脱可能に嵌挿されている。さらに、積層体１１の裏側である、第２凹溝部５７の底面には、上記色柄層６の色柄７を積層体１１表面側に現出させるための光源４１が取り付けられている。この第２凹溝部５７内の空間は、光源４１を収容する光源収容部４８を構成しており、この光源収容部４８は、表側の積層体１１以外の部分では光に対して密閉されて光漏れのない構造で、表側の積層体１１のみから透光可能とされている。
【０１６９】
そして、図２４に示すように、色柄層６には互いに異なる複数の色で色柄７が形成されている。図示例では、色柄層６の色柄７は、矩形の平面を９つのマス目に区画するように描かれた格子部と、５つのマス目内に描かれた５つの「円形」（●）と、残り４つのマス目内に描かれた４つの「三角形」（▲）とからなるものであり、背景、格子部、「円形」及び「三角形」の色は互いに異なり、背景は白色、格子部は黄色（図では点（ドット）にて示す）、「円形」は赤色（図では粗い間隔の斜線にて示す）であり、「三角形」は緑色（図では細かい間隔の斜線にて示す）となっている。
【０１７０】
一方、上記光源４１は、点灯時に上記色柄７の色と同じか又は近似した複数の色に発色可能とされている。すなわち、光源４１は例えば基板（図示せず）上に複数の光源モジュール４４，４４，…を配列したものであり、図示しないが、各光源モジュール４４はＬＥＤチップと、そのＬＥＤチップを覆う封止樹脂とからなり、一部の光源モジュール４４の封止樹脂にはＬＥＤの発光の一部の波長を変換して蛍光を放射させる１又は複数種類の蛍光体が混入されており、その蛍光体の種類の調整等により光源モジュール４４が異なる色に発色する。具体的には、一部の光源モジュール４４は格子部と同じ黄色か又は黄色に近似した色に、また他の一部の光源モジュール４４は背景の色と同じ白色か又は白色に近似した色に、さらに残りの光源モジュール４４は「円形」の色と同じ赤色か又は赤色に近似した色にそれぞれ発色する。これら複数の光源モジュール４４，４４，…は図外の切換スイッチ４９により点灯及び消灯状態が切り換えられ、かつ点灯状態では異なる色毎に点灯可能とされて、その発色が変更可能とされている。こうして点灯する光源モジュール４４の発色を変えることにより積層体１１表面側に現出する色柄７を変化させ、全ての色の光源モジュール４４を消灯させたときには、図２６（ａ）に示すように、色柄層６の全ての色柄７を突板層１（木質薄単板）の表面に現出させないが、いずれかの色の光源モジュール４４が点灯したときには、色柄層６の色柄７のうち光源モジュール４４の色以外の色の色柄７を突板層１（木質薄単板）の表面に現出させ、黄色を発色する光源モジュール４４が点灯したときには、図２６（ｂ）に示すように、黄色の格子部を除いた色の色柄７を突板層１の表面に、また白色を発色する光源モジュール４４が点灯したときには、図２６（ｃ）に示すように、白色の背景を除いた色の色柄７を突板層１の表面に、さらに赤色を発色する光源モジュール４４が点灯したときには、図２６（ｄ）に示すように、赤色の「円形」を除いた色の色柄７を突板層１の表面にそれぞれ現出させるようにしている。
【０１７１】
この例においては、切換スイッチをオフにして全ての光源モジュール４４，４４，…を消灯状態にしているときには、図２６（ａ）に示すように、発光化粧構造体Ｂの色柄層６の色柄７は、その色柄層６よりも表側に位置する隠蔽層５により隠蔽され、その色柄７が積層体１１の突板層１（木質薄単板）表面に現出することはなく、突板層１表面の木目模様がそのまま露出する。このことで、通常の木質の天板５４を有するテーブル５１の外観模様が得られる。
【０１７２】
これに対し、切換スイッチをオン操作して光源４１を点灯させると、その光源モジュール４４，４４，…からの光が積層体１１に裏側から照射される。このときには、図２６（ｂ）〜図２６（ｄ）に示すように、その光により色柄層６の色柄７が、透光性を有する隠蔽層５及び透光性を有する突板層１（木質薄単板）を経て、該突板層１の表面に現出する。このことで、その色柄層６の色柄７が積層体１１の表面側に木質薄単板表面の木目模様に加えて現出して、木目模様中に色柄７が浮き上がったような外観を呈する。すなわち、光源４１の消灯状態では、表面木目模様のテーブル５１が光源４１の点灯に伴い色柄７が現出するようになり、雰囲気を大きく変化させることができる。
【０１７３】
そして、上記点灯する光源モジュール４４は異なる色毎に点灯状態が切り換えられる。黄色を発色する光源モジュール４４が点灯したときには、図２６（ｂ）に示すように黄色の格子部を除いた色の色柄７が、また白色を発色する光源モジュール４４が点灯したときには、図２６（ｃ）に示すように白色の背景を除いた色の色柄７が、さらに赤色を発色する光源モジュール４４が点灯したときには、図２６（ｄ）に示すように赤色の「円形」を除いた色の色柄７が、それぞれ突板層１の表面に現出される。このことにより、複数の色柄を切り換えて表面に現出させることができ、テーブル５１の外観見映えを高めることができる。
【０１７４】
そして、表面に現出する色柄７を交換する場合には、積層体１１を天板本体５５の第１凹溝部５６から、その天板本体５５の幅方向端面の開口を通して引き出し、新しい色柄７が形成された色柄層６を有する積層体１１を上記とは逆に天板本体５５端面の開口から第１凹溝部５６内に嵌挿すればよい。尚、この交換する色柄層６の色柄７も光源４１の発色に対応した複数種類の色に分けられている。
【０１７５】
したがって、この例においても、テーブル５１の天板５４に、光源４１が消灯されて該光源４１からの光が裏側から当てられない状態と、光源４１の点灯光が裏側から当てられた状態との間で大きな差異のある外観が得られ、その意匠性を高めることができる。
【０１７６】
また、天板本体５５及び透明板５８に対し積層体１１が交換可能であるので、必要に応じて積層体１１を交換して色柄層６の色柄７を別のものに取り換えることができ、テーブル５１の雰囲気を自由に変えることができる。
【０１７７】
［発光化粧構造体の例４］
尚、上記例３では、テーブル５１の天板本体５５及び透明板５８に対し積層体１１を交換可能としているが、図２７に示すように、透明板５８を天板本体５５に対して着脱可能に固定し、その透明板５８の裏面（下面）に積層体１１を一体的に固定して透明板５８を補強層１６とすることで、積層体１１を透明板５８と共に天板本体５５に対し交換可能とするようにしてもよい。
【０１７８】
この例では、積層体１１は、天板本体５５と略同じ大きさの突板層１、隠蔽層５及び色柄層６を有する。その突板層１は、木質薄単板の表面に浮造り加工により春目部分を秋目部分よりも深く凹陥した凹凸部２が形成されかつ樹脂が含浸されてＷＰＣ処理されることで透光性を有する木質薄単板からなる。また、隠蔽層５は、積層体１１の裏側からの光がないときに色柄層６の色柄７を積層体１１表面から隠蔽する一方、積層体１１の裏側からの光があるときには色柄層６の色柄７を積層体１１表面に現出させる程度に透光性を有している。色柄層６には、図２４に示すような所定の色柄７が形成されている。その他の構造は図２１及び図２２に示す実施形態３と同様である。
【０１７９】
したがって、この例においても、テーブル５１の天板５４に、光源４１が消灯されて該光源４１からの光が裏側から当てられない状態と、光源４１の点灯光が裏側から当てられた状態との間で大きな差異のある外観が得られ、その意匠性を高めることができる。
【０１８０】
また、天板本体５５に対し積層体１１が透明板５８（補強層１６）と共に交換可能であるので、必要に応じて積層体１１及び透明板５８を交換して色柄層６の色柄７を別のものに取り換えることができ、テーブル５１の雰囲気を自由に変えることができる。
【０１８１】
［発光化粧構造体の例５］
図２８及び図２９は発光化粧構造体Ｂの例５を示し、階段の蹴込板に設置したものである。
【０１８２】
すなわち、図２８において、６１は階段であって、この階段６１は、上部に水平部６２ａと垂直部６２ｂとが交互に段状に形成された雛段型の側桁６２を有し、該側桁６２の各水平部６２ａには踏板６５が載置固定され、側桁６２の各垂直部６２ｂには蹴込板６６が、上側に位置する踏板６５の手前端部と下側に位置する踏板６５の奥端部とに亘るように施工されている。この階段６１の構造は通常のものと同様である。図２８中、６４は側桁６２を支持する受梁である。
【０１８３】
そして、この例では、上記各蹴込板６６は発光化粧構造体Ｂからなっている。図２９に拡大して示すように、この発光化粧構造体Ｂ（蹴込板６６）は、積層体１１と、この積層体１１の裏側（奥側）に配置された光源４１とを備えてなる。上記積層体１１は、上記各実施形態と同様に、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含み、積層体１１の裏面には透光性を有する補強層１６が配置されている。積層体１１の隠蔽層５は、積層体１１の裏側からの光源４１による光がないときに色柄層６の色柄７を積層体１１表面から隠蔽する一方、積層体１１の裏側からの光源４１による光があるときには色柄層６の色柄７を積層体１１表面に現出させる程度に透光性を有している。
【０１８４】
上記補強層１６は、例えば透明アクリル樹脂板や透明塩ビシート等からなり、積層体１１と光源４１との間に介在されるものである。
【０１８５】
また、積層体１１の裏側に配置されている光源４１は、図外のスイッチにより点灯状態及び消灯状態に切り換えられる電球、蛍光灯、ＬＥＤや有機ＥＬシート（面発光体）等からなり、その光により色柄層６の色柄７を積層体１１表面側に現出させる。
【０１８６】
この例においては、例えば日中でスイッチをオフにして光源４１を消灯状態にしているときには、各蹴込板６６（発光化粧構造体Ｂ）の積層体１１における色柄層６の色柄７は、その色柄層６よりも表側に位置する隠蔽層５により隠蔽され、その色柄７が突板層１（木質薄単板）表面に現出することはなく、突板層１表面の木目模様がそのまま露出する。このことで、通常の木質を呈する蹴込板６６及び階段６１の外観模様が得られる。
【０１８７】
これに対し、例えば夜間にスイッチをオン操作して光源４１を点灯させると、その光源４１からの光が透光性を有する基材を介して積層体１１に裏側から照射される。このときには、その光により色柄層６の色柄７が、透光性を有する隠蔽層５及び透光性を有する突板層１（木質薄単板）を経て、該突板層１の表面に現出する。このことで、その色柄層６の色柄７が突板層１表面の木目模様に加えて現出して、木目模様中に色柄７が浮き上がったような外観を呈し、光源４１の消灯時（日中）とは異なる表情を演出することができる。
【０１８８】
また、こうして階段６１の蹴込板６６が光ることで踏板６５が照らされ、階段６１の昇降時に足下が明るくなって歩行の安全性に寄与することができる。
【０１８９】
したがって、この例においては、階段６１の蹴込板６６に、光源４１が消灯されて該光源４１からの光が裏側から当てられない状態と、光源４１の点灯光が裏側から当てられた状態との間で大きな差異のある外観が得られ、その意匠性を高めることができる。
【０１９０】
［発光化粧構造体の例６］
図３０〜図３２は発光化粧構造体Ｂの例６を示し、発光化粧構造体Ｂは部屋の床面、壁面及び天井面に施工したものである。
【０１９１】
図３０及び図３１において、７１は部屋の床、７２は壁、７３は天井であり、これら床７１、壁７２及び天井７３の各中間部には係る発光化粧構造体Ｂが連続するように施工されている（図３０で点線にて挟まれた範囲）。
【０１９２】
床７１、壁７２及び天井７３での施工構造は互いに同じであり、図３２に示すように、下地材７４において発光化粧構造体Ｂの施工範囲に断面矩形状に凹陥した凹陥部７５が形成され、その凹陥部７５に発光化粧構造体Ｂが組み付けられている。この発光化粧構造体Ｂは、部屋の室内側に位置する積層体１１と、この積層体１１の裏側（奥側）に配置された光源４１とを備えてなる。上記積層体１１は、上記各実施形態と同様に、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７（図示例では大小の複数の円）が形成された色柄層６とを含み、積層体１１の裏面には透光性を有する補強層１６が配置されている。積層体１１の隠蔽層５は、積層体１１の裏側からの光源４１による光がないときに色柄層６の色柄７を積層体１１表面から隠蔽する一方、積層体１１の裏側からの光源４１による光があるときには色柄層６の色柄７を積層体１１表面に現出させる程度に透光性を有している。
【０１９３】
上記補強層１６は、例えば透明アクリル樹脂板や透明塩ビシート等からなり、積層体１１と光源４１との間に介在されるものである。
【０１９４】
また、積層体１１の裏側に配置されている光源４１は、図外のスイッチにより点灯状態及び消灯状態に切り換えられる電球、蛍光灯、ＬＥＤや有機ＥＬシート（面発光体）等のからなり、その光により色柄層６の色柄７を積層体１１表面側に現出させる。この光源４１は下地材７４の凹陥部７５内に配置されている。
【０１９５】
下地材７４において、凹陥部７５の左右両側部分の表面には、上記補強層１６に積層体１１を加えた厚さと同じ厚さの化粧板７６が固定されている。この各化粧板７６は、ＭＤＦ等の化粧板用基材７７と、この各基材７７の表面に接着された突板７８とを備えている。この突板７８は、積層体１１の突板層１と同じ木質薄単板からなり、ＷＰＣ化のみされていないものが用いられている。そして、化粧板７６と発光化粧構造体Ｂとを隣接して施工することで、床７１、壁７２及び天井７３の発光化粧構造体Ｂにおける突板層１の表面と化粧板７６の表面とが面一になり、かつ突板層１及び突板７８間で同じ木目模様を呈するようになっている。
【０１９６】
この例においては、例えば日中でスイッチをオフにして光源４１を消灯状態にしているときには、床７１、壁７２及び天井７３に施工されている発光化粧構造体Ｂの積層体１１における色柄層６の色柄７は、その色柄層６よりも表側に位置する隠蔽層５により隠蔽され、その色柄７が突板層１（木質薄単板）表面に現出することはなく、突板層１表面の木目模様がそのまま露出する。このことで、図３０に示すように、通常の木質を呈する床７１、壁７２及び天井７３の外観模様が得られる。
【０１９７】
その際、発光化粧構造体Ｂにおける突板層１の表面と化粧板７６の表面とが面一で同じ突板の木目模様を呈するので、どの部分に発光化粧構造体Ｂが施工されているのかが判り難くなり、外観見映えがよい。
【０１９８】
これに対し、例えば夜間にスイッチをオン操作して光源４１を点灯させると、その光源４１からの光が透光性を有する補強層１６を介して積層体１１に裏側から照射される。このときには、その光により色柄層６の色柄７が、透光性を有する隠蔽層５及び透光性を有する突板層１（木質薄単板）を経て、該突板層１の表面に現出する。このことで、図３１に示すように、その色柄層６の色柄７が突板層１表面の木目模様に加えて現出して、木目模様中に色柄７が浮き上がったような外観を呈し、光源４１の消灯時（日中）とは異なる表情を演出することができる。
【０１９９】
したがって、この例においては、床７１、壁７２及び天井７３の一部に、光源４１が消灯されて該光源４１からの光が裏側から当てられない状態と、光源４１の点灯光が裏側から当てられた状態との間で大きな差異のある外観が得られ、その意匠性を高めることができる。
【０２００】
尚、この実施形態では、部屋の床７１、壁７２及び天井７３の全てに亘り発光化粧構造体Ｂを施工しているが、床７１、壁７２及び天井７３のいずれか１つ又は２つに施工してもよい。
【０２０１】
［発光化粧構造体の例７］
図３３及び図３４は発光化粧構造体Ｂの例７に係る発光化粧構造体Ｂを示し、欄間に施工したものである。
【０２０２】
図３３において、８１は部屋の壁７２の下端部に施工された敷居、８２は壁７２の上部に施工された鴨居であって、これら敷居８１と鴨居８２との間には壁７２の開口を開閉する襖８３が嵌め込まれている。また、壁７２の上端部である鴨居８２の上側には、襖８３（壁７２の開口）に対応する位置に欄間８４が設けられている。この欄間８４は鴨居８２と天井７３面との間に施工された枠部材８５に嵌め込まれて固定されている。
【０２０３】
図３４に示すように、欄間８４は、壁７２の厚さ方向の中央部に位置する非透光性の固定板８６を有し、この固定板８６の周縁部には、枠部材８５の内周面に形成した凹溝８５ａに嵌合されて固定板８６を枠部材８５に固定するための嵌合部８６ａが設けられている。固定板８６の厚さ方向の両側にはそれぞれ発光化粧構造体Ｂ，Ｂが配置されている。各発光化粧構造体Ｂは、積層体１１と、この積層体１１の裏側（壁７２の厚さ方向の中央側）に配置された光源４１とを備えてなる。上記積層体１１は、上記各実施形態と同様に、樹脂が含浸されてＷＰＣ処理されることで透光性を有する木質薄単板からなる突板層１と、この突板層１の裏面側に配置された隠蔽層５と、この隠蔽層５の裏面側に配置され、所定の色柄７が形成された色柄層６とを含み、積層体１１の裏面には透光性を有する補強層１６が配置されている。積層体１１の隠蔽層５は、積層体１１の裏側からの光源４１による光がないときに色柄層６の色柄７を積層体１１表面から隠蔽する一方、積層体１１の裏側からの光源４１による光があるときには色柄層６の色柄７を積層体１１表面に現出させる程度に透光性を有している。
【０２０４】
上記補強層１６は、例えば透明アクリル樹脂板や透明塩ビシート等からなり、積層体１１と光源４１との間に介在されるものである。
【０２０５】
また、積層体１１の裏側に配置されている光源４１は、図外のスイッチにより点灯状態及び消灯状態に切り換えられる電球、蛍光灯、ＬＥＤや有機ＥＬシート（面発光体）からなり、その光により色柄層６の色柄７を積層体１１表面側に現出させる。
【０２０６】
この例においては、例えば日中でスイッチをオフにして光源４１を消灯状態にしているときには、各発光化粧構造体Ｂの積層体１１における色柄層６の色柄７は、その色柄層６よりも表側に位置する隠蔽層５により隠蔽され、その色柄７が突板層１（木質薄単板）表面に現出することはなく、突板層１表面の木目模様がそのまま露出する。このことで、通常の木質を呈する欄間８４の外観模様が得られる。
【０２０７】
これに対し、例えば夜間にスイッチをオン操作して光源４１を点灯させると、その光源４１からの光が透光性を有する基材を介して積層体１１に裏側から照射される。このときには、その光により色柄層６の色柄７が、透光性を有する隠蔽層５及び透光性を有する突板層１（木質薄単板）を経て、該突板層１の表面に現出する。このことで、その色柄層６の色柄７が突板層１表面の木目模様に加えて現出して、木目模様中に色柄７が浮き上がったような外観を呈し、光源４１の消灯時（日中）とは異なる表情を演出することができる。
【０２０８】
また、欄間８４には、固定板８６の両側に発光化粧構造体Ｂ，Ｂが配置されているので、部屋の内側及び外側からそれぞれ上記発光化粧構造体Ｂの効果を得ることができる。特に、両方の発光化粧構造体Ｂ，Ｂにおける色柄層６，６の色柄７，７を互いに異ならせることができ、部屋毎に見合う意匠の欄間８４が得られる。例えば和室と洋室との間の壁７２に欄間８４がある場合には、その和室及び洋室にそれぞれ対応した色柄７を採用すればよい。
【０２０９】
したがって、この例においても、欄間８４に、光源４１が消灯されて該光源４１からの光が裏側から当てられない状態と、光源４１の点灯光が裏側から当てられた状態との間で大きな差異のある外観が得られ、その意匠性を高めることができる。
【０２１０】
［その他の実施形態］
本発明は上記各実施形態に限定されるものではなく、種々の実施形態を包含している。例えば、上記実施形態では、透光性化粧材Ａ（発光化粧構造体Ｂ）をベッド２７のヘッドボード２８やフットボード、テーブル５１の天板５４、階段６１の蹴込板６６、床７１、壁７２、天井７３、欄間８４に施工しているが、他の箇所や部材に施工し又は組み込むようにしてもよい。例えば、照明器具のシェード等が好ましい（その場合、照明器具のランプが光源となる）。
【産業上の利用可能性】
【０２１１】
本発明は、意匠性に優れた透光性化粧材や発光化粧構造体が得られるので、極めて有用であり、産業上の利用可能性が高い。
【符号の説明】
【０２１２】
Ａ  透光性化粧材
Ｂ  発光化粧構造体
１  突板層
２  凹凸部
２ａ  凹部
５  隠蔽層
６  色柄層
７  色柄
９  表面コート層
１１  積層体
１６  補強層
１７  透明性樹脂
２１  ドア
２７  ベッド
２８  ヘッドボード
４１  光源
４８  光源収容部
５１  テーブル
５４  天板
６１  階段
６６  蹴込板
７１  床
７２  壁
７３  天井
８４  欄間
【手続補正２】
【補正対象書類名】特許請求の範囲
【補正対象項目名】全文
【補正方法】変更
【補正の内容】
【特許請求の範囲】
【請求項１】
樹脂が含浸されてＷＰＣ処理された透光性を有する木質薄単板からなる突板層と、
上記突板層の裏面側に配置された隠蔽層と、
上記隠蔽層の裏面側に配置され、所定の色柄が形成された透光性を有する色柄層とを含む積層体からなり、
上記隠蔽層は、積層体の裏側からの光がないときに上記色柄層の色柄を積層体表面から該色柄が積層体表面に現出しない状態に隠蔽する一方、積層体の裏側からの光があるときには色柄層の色柄を積層体表面に現出させる程度に透光性を有しており、
裏側からの光で上記色柄層の色柄が表面側に現出するように構成されたことを特徴とする透光性化粧材。
【請求項２】
請求項１において、
突板層は、木質薄単板の表面に浮造り加工により木質薄単板の春目部分を秋目部分よりも深く凹陥した凹凸部が形成されてＷＰＣ処理されたものであることを特徴とする透光性化粧材。
【請求項３】
請求項１又は２において、
積層体の内部又は表裏側に、透光性を有する補強層が設けられていることを特徴とする透光性化粧材。
【請求項４】
請求項３において、
補強層は突板層と隠蔽層との間に設けられていることを特徴とする透光性化粧材。
【請求項５】
請求項３において、
補強層は隠蔽層と色柄層との間に設けられていることを特徴とする透光性化粧材。
【請求項６】
請求項３において、
補強層は色柄層の裏面に設けられていることを特徴とする透光性化粧材。
【請求項７】
請求項３において、
補強層は隠蔽層からなることを特徴とする透光性化粧材。
【請求項８】
請求項３において、
補強層は色柄層からなることを特徴とする透光性化粧材。
【請求項９】
請求項３〜７のいずれか１つにおいて、
突板層から補強層までの層が積層一体化されていることを特徴とする透光性化粧材。
【請求項１０】
請求項１〜９のいずれか１つにおいて、
色柄層は、裏面に色柄が反転印刷された紙層からなることを特徴とする透光性化粧材。
【請求項１１】
請求項１０において、
紙層は、一方の面に色柄が他方の面に至らないように反転印刷されることで該一方の面が印刷面とされた紙からなり、該印刷面が裏側になり印刷面と反対側の他方の面が表側になるように配置されていることを特徴とする透光性化粧材。
【請求項１２】
請求項３において、
補強層は突板層の表面に設けられていることを特徴とする透光性化粧材。
【請求項１３】
請求項１２において、
突板層が交換可能であることを特徴とする透光性化粧材。
【請求項１４】
請求項１２において、
色柄層が交換可能であることを特徴とする透光性化粧材。
【請求項１５】
請求項１２において、
突板層及び色柄層が交換可能であることを特徴とする透光性化粧材。
【請求項１６】
請求項１〜１５のいずれか１つにおいて、
隠蔽層は液晶層であることを特徴とする透光性化粧材。
【請求項１７】
請求項１〜１５のいずれか１つにおいて、
隠蔽層は、温度に応じて透光性及び色が変化する感熱性樹脂からなることを特徴とする透光性化粧材。
【請求項１８】
請求項１〜１５のいずれか１つにおいて、
隠蔽層は、温度に応じて透光性が変化するフェイズチェンジマテリアルからなることを特徴とする透光性化粧材。
【請求項１９】
請求項２において、
突板層は、木質薄単板表面の凹部が透明性樹脂により充填されて平滑面とされていることを特徴とする透光性化粧材。